(57)【特許請求の範囲】
【請求項１】
ＮＢ−ＩｏＴ（Narrowband Internet of Things）機器がダウンリンク物理チャネルを受信する方法であって、
ＴＤＤ（Time Division Duplex）のスペシャルサブフレームのＤｗＰＴＳ（Downlink Pilot Time Slot）上でＮＢ−ＩｏＴセルからダウンリンク物理チャネルの信号を受信するかどうかを決定する段階と、
前記決定に基づき、前記ＤｗＰＴＳを含む前記ＴＤＤのスペシャルサブフレーム上でダウンリンク物理チャネルの信号を受信する段階と、を含み、
前記決定する段階は、前記ＤｗＰＴＳの大きさ及び前記ＮＢ−ＩｏＴセルの動作モードの一つ以上に基づいて行われ、
前記動作モードは、スタンドアローンモード、インバンドモード及び保護帯域モードの一つ以上を含み、
（ｉ）前記ダウンリンク物理チャネルの信号が前記ＴＤＤのスペシャルサブフレームを含む複数のサブフレーム上で繰り返し受信されることと、
（ｉｉ）前記ＴＤＤのスペシャルサブフレーム内の一つ以上のＲＥ（Resource Elements）がＮＲＳ（Narrowband Reference Signal）のために使用可能なことと、
に基づいて、前記一つ以上のＲＥは、カウントされるが、前記ダウンリンク物理チャネルの前記信号のために使用されない、方法。
【請求項２】
前記ダウンリンク物理チャネルは、ＮＰＤＳＣＨ（Narrowband Physical Downlink Shared Channel）及びＮＰＤＣＣＨ（Narrowband Physical Downlink Control Channel）の一つ以上を含む、請求項１に記載の方法。
【請求項３】
前記ＮＢ−ＩｏＴ機器は、前記ダウンリンク物理チャネルの信号を前記ＴＤＤのスペシャルサブフレームとＴＤＤのダウンリンクサブフレームとを含む複数のサブフレーム上で繰り返し受信する、請求項１に記載の方法。
【請求項４】
前記ダウンリンク物理チャネルの信号が前記複数のサブフレーム上で繰り返し受信されることに基づいて、前記ダウンリンク物理チャネルの前記信号は、前記ＴＤＤのダウンリンクサブフレームを基準に前記ＤｗＰＴＳを含む前記ＴＤＤのスペシャルサブフレーム内のＲＥにマッピングされている、請求項３に記載の方法。
【請求項５】
前記ダウンリンク物理チャネルの前記信号は、前記一つ以上のＲＥ上でパンクチャリングされている、請求項１に記載の方法。
【請求項６】
ＮＲＳは、前記スペシャルサブフレームの第１スロット内の３番目及び４番目のＯＦＤＭシンボル上にマッピングされている、請求項１に記載の方法。
【請求項７】
ダウンリンク物理チャネルを受信するＮＢ−ＩｏＴ（Narrowband Internet of Things）機器であって、
トランシーバーと、
前記トランシーバーを制御するプロセッサと、を含み、
前記プロセッサは、
ＴＤＤ（Time Division Duplex）のスペシャルサブフレームのＤｗＰＴＳ（Downlink Pilot Time Slot）上でＮＢ−ＩｏＴセルからダウンリンク物理チャネルの信号を受信するかどうかを決定し、
前記決定に基づき、前記ＤｗＰＴＳを含む前記ＴＤＤのスペシャルサブフレーム上でダウンリンク物理チャネルの信号を受信する、ように構成され、
前記プロセッサによる前記決定は、前記ＤｗＰＴＳの大きさ及び前記ＮＢ−ＩｏＴセルの動作モードの一つ以上に基づいて行われ、
前記動作モードは、スタンドアローンモード、インバンドモード及び保護帯域モードの一つ以上を含み、
（ｉ）前記ダウンリンク物理チャネルの信号が前記ＴＤＤのスペシャルサブフレームを含む複数のサブフレーム上で繰り返し受信されることと、
（ｉｉ）前記ＴＤＤのスペシャルサブフレーム内の一つ以上のＲＥ（Resource Elements）がＮＲＳ（Narrowband Reference Signal）のために使用可能なことと、
に基づいて、前記一つ以上のＲＥは、カウントされるが、前記ダウンリンク物理チャネルの前記信号のために使用されない、ＮＢ−ＩｏＴ機器。
【請求項８】
前記ダウンリンク物理チャネルは、ＮＰＤＳＣＨ（Narrowband Physical Downlink Shared Channel）及びＮＰＤＣＣＨ（Narrowband Physical Downlink Control Channel）の一つ以上を含む、請求項７に記載のＮＢ−ＩｏＴ機器。
【請求項９】
前記プロセッサは、前記ダウンリンク物理チャネルの信号を前記ＴＤＤのスペシャルサブフレームとＴＤＤのダウンリンクサブフレームとを含む複数のサブフレーム上で繰り返し受信するように構成される、請求項７に記載のＮＢ−ＩｏＴ機器。
【請求項１０】
前記ダウンリンク物理チャネルの信号が前記複数のサブフレーム上で繰り返し受信されることに基づいて、前記ダウンリンク物理チャネルの前記信号は、前記ＴＤＤのダウンリンクサブフレームを基準に前記ＤｗＰＴＳを含む前記ＴＤＤのスペシャルサブフレーム内のＲＥにマッピングされている、請求項９に記載のＮＢ−ＩｏＴ機器。
【請求項１１】
ＮＲＳは、前記スペシャルサブフレームの第１スロット内の３番目及び４番目のＯＦＤＭシンボル上にマッピングされている、請求項７に記載のＮＢ−ＩｏＴ機器。
【請求項１２】
前記ダウンリンク物理チャネルの前記信号は、前記一つ以上のＲＥ上でパンクチャリングされている、請求項７に記載のＮＢ−ＩｏＴ機器。
【発明の詳細な説明】
【技術分野】
【０００１】
本発明は、移動通信に関する。
【０００２】
最近では、人間との相互作用（ｈｕｍａｎ  ｉｎｔｅｒａｃｔｉｏｎ）なしに、即ち、人間の介入なしに装置間又は装置とサーバーとの間で起こる通信、即ち、ＭＴＣ（Ｍａｃｈｉｎｅ  Ｔｙｐｅ  Ｃｏｍｍｕｎｉｃａｔｉｏｎ）に対する研究が活発になっている。ＭＴＣは、人間が使用する端末ではなく、機械装置が既存の無線通信ネットワークを利用して通信する概念を称する。一方、既存のＬＴＥシステムは、高速のデータ通信を支援することを目的で設計されてきたため、高価の通信方式と考えられてきた。しかし、ＭＴＣは、その特性上、価格が安価でなければ、広く普及されて使用されることができない。従って、コスト削減のために、ＭＴＣのための帯域幅をシステム帯域幅よりも小さく縮小させる案が検討されてきた。
【０００３】
また、最近では、ＩｏＴ（Ｉｎｔｅｒｎｅｔ  ｏｆ  Ｔｈｉｎｇｓ）通信のために基地局のセルのカバレッジを拡張又は増大することを考慮しており、セルのカバレッジの拡張又は増大のための様々な技法が議論されている。前記セルのカバレッジの拡張又は増大のために、ダウンリンクチャネル又はアップリンクチャネルが多数のサブフレーム上で繰り返されて送信され得る。
【０００４】
前記ダウンリンクチャネル又はアップリンクチャネルは、ＴＤＤのサブフレーム上でも繰り返され得る。
【０００５】
ところが、ＴＤＤのスペシャルサブフレームでは、使用可能なＲＥ（Ｒｅｓｏｕｒｃｅ  Ｅｌｅｍｅｎｔ）の個数がＴＤＤのダウンリンクサブフレームのＲＥの個数よりも少ないため、前記ダウンリンクチャネル又はアップリンクチャネルの繰り返しを行うためには、効果的な案が必要である。しかし、現在までは、このような効果的な案が提示されていないという問題点があった。
【発明の概要】
【発明が解決しようとする課題】
【０００６】
したがって、本明細書の開示は、前述した問題点を解決することを目的とする。
【課題を解決するための手段】
【０００７】
前述した目的を達成するために、本明細書の一開示は、ＮＢ−ＩｏＴ（Ｎａｒｒｏｗｂａｎｄ  Ｉｎｔｅｒｎｅｔ  ｏｆ  Ｔｈｉｎｇｓ）機器がダウンリンク物理チャネルを受信する方法を提供する。前記方法は、ＴＤＤ（Ｔｉｍｅ  Ｄｉｖｉｓｉｏｎ  Ｄｕｐｌｅｘ）のスペシャルサブフレームのＤｗＰＴＳ（Ｄｏｗｎｌｉｎｋ  Ｐｉｌｏｔ  Ｔｉｍｅ  Ｓｌｏｔ）上でＮＢ−ＩｏＴセルからダウンリンク物理チャネルの信号を受信すべきか否かを決定する段階と、前記決定に基づき、前記ＤｗＰＴＳを含むＴＤＤのスペシャルサブフレーム上でダウンリンク物理チャネルの信号を受信する段階とを含み得る。
【０００８】
前記決定する段階は、前記ＤｗＰＴＳの大きさ及び前記ＮＢ−ＩｏＴセルの動作モードのうち一つ以上に基づいて行われ得る。前記動作モードは、スタンドアローン（ｓｔａｎｄ−ａｌｏｎｅ）、インバンド（ｉｎ−ｂａｎｄ）及び保護帯域（ｇｕａｒｄ−ｂａｎｄ）のうち一つ以上を含み得る。
【０００９】
前記ダウンリンク物理チャネルは、ＮＰＤＳＣＨ（Ｎａｒｒｏｗｂａｎｄ  Ｐｈｙｓｉｃａｌ  Ｄｏｗｎｌｉｎｋ  Ｓｈａｒｅｄ  Ｃｈａｎｎｅｌ）及びＮＰＤＣＣＨ（Ｎａｒｒｏｗｂａｎｄ  Ｐｈｙｓｉｃａｌ  Ｄｏｗｎｌｉｎｋ  Ｃｏｎｔｒｏｌ  Ｃｈａｎｎｅｌ）のうち一つ以上を含み得る。
【００１０】
前記方法は、前記ダウンリンク物理チャネルの信号を前記ＴＤＤのスペシャルサブフレームとＴＤＤのダウンリンクサブフレームを含む複数のサブフレーム上で繰り返して受信する段階をさらに含み得る。
【００１１】
前記ダウンリンク物理チャネルの信号が前記複数のサブフレーム上で繰り返して受信される場合、前記ダウンリンク物理チャネルの信号は、前記ＴＤＤのダウンリンクサブフレームを基準に前記ＴＤＤのスペシャルサブフレームのＤｗＰＴＳ内のＲＥ（Ｒｅｓｏｕｒｃｅ  Ｅｌｅｍｅｎｔｓ）にマッピングされていることがある。
【００１２】
前記ダウンリンク物理チャネルの信号がマッピングされたＤｗＰＴＳ内のＲＥのうち一部はパンクチャリングされていることがある。
【００１３】
前記パンクチャリングされるＲＥは、ＧＰ（Ｇｕａｒｄ  Ｐｅｒｉｏｄ）又はＵｐＰＴＳ（Ｕｐｌｉｎｋ  Ｐｉｌｏｔ  Ｔｉｍｅ  Ｓｌｏｔ）のために使用されるＲＥを含み得る。
【００１４】
前記ダウンリンク物理チャネルの信号が前記複数のサブフレーム上で繰り返して受信される場合、及び、前記ＴＤＤのスペシャルサブフレーム内の制御領域のシンボルの個数がＴＤＤのダウンリンクサブフレーム内の制御領域のシンボルの個数よりも少ない場合、前記ＴＤＤのスペシャルサブフレーム内の少なくとも一つのシンボル上のＲＥには、前記ＧＰ又はＵｐＰＴＳのためにパンクチャリングされたＲＥにマッピングされていた前記ダウンリンク物理チャネルの信号がマッピングされ得る。
【００１５】
前記ダウンリンク物理チャネルの信号は、前記ＤｗＰＴＳ内のＲＥにマッピングされる前にインターリービングされていることがある。
【００１６】
前記ダウンリンク物理チャネルの信号が前記複数のサブフレーム上で繰り返して受信される場合、前記ＴＤＤのダウンリンクサブフレーム内で前記ダウンリンク物理チャネルの信号がマッピングされるＲＥの位置と同じ位置を有する、前記スペシャルサブフレーム内のＲＥがＮＲＳ（Ｎａｒｒｏｗｂａｎｄ  ｒｅｆｅｒｅｎｃｅ  ｓｉｇｎａｌ）のために使用されなければならない場合、該当ＲＥ上では、前記ダウンリンク物理チャネルの信号がパンクチャリングされていることがある。
【００１７】
前記ダウンリンク物理チャネルの信号が前記複数のサブフレーム上で繰り返して受信される場合、前記ＴＤＤのダウンリンクサブフレーム内で前記ダウンリンク物理チャネルの信号がマッピングされないＲＥの位置と同じ位置を有する、前記スペシャルサブフレーム内のＲＥは、ブランク（ｂｌａｎｋ）ＲＥに使用されるか、又はＮＲＳのために使用され得る。
【００１８】
前記ダウンリンク物理チャネルの信号が繰り返すことなく、前記ＴＤＤのスペシャルサブフレーム上でのみ受信される場合、前記ＤｗＰＴＳ内で使用可能なＲＥの個数を基準に、前記ダウンリンク物理チャネルの信号は、レートマッチング（ｒａｔｅ  ｍａｔｃｈｉｎｇ）されていることがある。
【００１９】
前記スペシャルサブフレームの第１スロット内の３番、４番、７番のＯＦＤＭシンボル上には、ＮＲＳ（Ｎａｒｒｏｗｂａｎｄ  ｒｅｆｅｒｅｎｃｅ  ｓｉｇｎａｌ）がマッピングされていることがある。
【００２０】
前述した目的を達成するために、本明細書の一開示は、ダウンリンク物理チャネルを受信するＮＢ−ＩｏＴ機器もまた提供する。前記ＮＢ−ＩｏＴ機器は、送受信部と、前記送受信部を制御するプロセッサとを含み得る。前記プロセッサは、ＴＤＤ（Ｔｉｍｅ  Ｄｉｖｉｓｉｏｎ  Ｄｕｐｌｅｘ）のスペシャルサブフレームのＤｗＰＴＳ（Ｄｏｗｎｌｉｎｋ  Ｐｉｌｏｔ  Ｔｉｍｅ  Ｓｌｏｔ）上でＮＢ−ＩｏＴセルからダウンリンク物理チャネルの信号を受信すべきか否かを決定し得る。前記プロセッサは、前記決定に基づき、前記送受信部を介して前記ＤｗＰＴＳを含むＴＤＤのスペシャルサブフレーム上でダウンリンク物理チャネルの信号を受信し得る。前記プロセッサは、前記決定のために前記ＤｗＰＴＳの大きさ及び前記ＮＢ−ＩｏＴセルの動作モードのうち一つ以上を考慮し得る。前記動作モードは、スタンドアローン（ｓｔａｎｄ−ａｌｏｎｅ）、インバンド（ｉｎ−ｂａｎｄ）及び保護帯域（ｇｕａｒｄ−ｂａｎｄ）のうち一つ以上を含み得る。
【発明の効果】
【００２１】
本明細書の開示によれば、前述した従来技術の問題点が解決される。
【図面の簡単な説明】
【００２２】
【図１】無線通信システムである。
【図２】３ＧＰＰ  ＬＴＥにおいてＦＤＤによる無線フレーム（ｒａｄｉｏ  ｆｒａｍｅ）の構造を示す。
【図３】３ＧＰＰ  ＬＴＥにおいてＴＤＤによるダウンリンク無線フレームの構造を示す。
【図４Ａ】ＩｏＴ（Ｉｎｔｅｒｎｅｔ  ｏｆ  Ｔｈｉｎｇｓ）通信の一例を示す。
【図４Ｂ】ＩｏＴ機器のためのセルのカバレッジの拡張又は増大の例示である。
【図４Ｃ】ダウンリンクチャネルの束を送信する例を示した例示図である。
【図５Ａ】ＩｏＴ機器が動作する副帯域の例を示した例示図である。
【図５Ｂ】ＩｏＴ機器が動作する副帯域の例を示した例示図である。
【図６】ＮＢ−ＩｏＴのために使用され得る時間リソースをＭ−フレームの単位で表した例を示す。
【図７】ＮＢ  ＩｏＴのために使用され得る時間リソースと周波数リソースを示した別の例示図である。
【図８】ＮＲにおけるサブフレームの類型の例を示す。
【図９】Ｉ−２−１の案に沿ってＮＲＳをマッピングする場合に対する一例を示した例示図である。
【図１０】Ｉ−３−１の案に沿って使用可能なＲＥの位置を例示的に示した例示図である。
【図１１Ａ】送信ブロックがスロット単位で繰り返される例を示した例示図である。
【図１１Ｂ】アップリンク−ダウンリンクの設定＃１が適用され、ＤｗＰＴＳの領域が一つのスロットに使用され得る場合、実際の各スロットが時間軸に割り当てられる構造の例を示した例示図である。
【図１２】Ｉ−３−２の案に沿って、スペシャルサブフレーム内における長い（ｌｏｎｇ）スロットと短い（ｓｈｏｒｔ）スロットとが構成される例を示す。
【図１３】Ｉ−３−２の案に沿って使用可能なＲＥの位置の例を示す。
【図１４Ａ】Ｉ−３−２の案に沿って、短い（ｓｈｏｒｔ）スロットと長い（ｌｏｎｇ）スロットとが区分される状況で、仮想のサブフレームを構成する例を示す。
【図１４Ｂ】長い（ｌｏｎｇ）スロットの構造のみが考慮される状況で、仮想のサブフレームを構成する例を示す。
【図１５】ＮＰＤＳＣＨの送信に繰り返しが適用された場合、ＤｗＰＴＳの領域でＲＥのマッピングを行うとき、ＧＰやＵｐＰＴＳの目的のために一部のＯＦＤＭシンボルをパンクチャリングし、パンクチャリングされたシンボルをＤＬサブフレームで使用しないが、ＤｗＰＴＳ内で使用されるＯＦＤＭシンボルの位置にマッピングする案の例を示す。
【図１６Ａ】ＤｗＰＴＳの領域で参照信号の種類及び位置を考慮したＯＦＤＭシンボルレベルのインターリービングが適用される場合の例を示す。
【図１６Ｂ】ＤｗＰＴＳの領域で参照信号の種類及び位置を考慮したＯＦＤＭシンボルレベルのインターリービングが適用される場合の例を示す。
【図１７Ａ】動作モードがインバンドである場合に、Ｉ−３−３の案を使用し、ＤｗＰＴＳインターリービングのパターンに沿ってＯＦＤＭシンボルレベルのインターリービングを行う例を示す。
【図１７Ｂ】動作モードがインバンドである場合に、Ｉ−３−３の案を使用し、ＤｗＰＴＳインターリービングのパターンに沿ってＯＦＤＭシンボルレベルのインターリービングを行う例を示す。
【図１８Ａ】動作モードがスタンドアローン又は保護帯域である場合に、Ｉ−３−３の案を使用し、ＤｗＰＴＳインターリービングのパターンに沿って、ＯＦＤＭシンボルレベルのインターリービングを行う例を示す。
【図１８Ｂ】動作モードがスタンドアローン又は保護帯域である場合に、Ｉ−３−３の案を使用し、ＤｗＰＴＳインターリービングのパターンに沿って、ＯＦＤＭシンボルレベルのインターリービングを行う例を示す。
【図１９】Ｉ−３−４で提示されるＡ−１の案の例を示す。
【図２０】Ｉ−３−４で提示されるＡ−２の案の例を示す。
【図２１】Ｉ−３−４で提示されるＡ−３の案の例を示す。
【図２２】数式３によって、ＤｗＰＴＳにＮＲＳをマッピングした場合の例を示す。
【図２３Ａ】一般のＤＬサブフレームにおけるデータ領域のＲＥのＤｗＰＴＳに繰り返される第１の例を示す。
【図２３Ｂ】一般のＤＬサブフレームにおけるデータ領域のＲＥのＤｗＰＴＳに繰り返される第１の例を示す。
【図２３Ｃ】一般のＤＬサブフレームにおけるデータ領域のＲＥのＤｗＰＴＳに繰り返される第１の例を示す。
【図２４】数式４によって、ＤｗＰＴＳにＮＲＳをマッピングした場合の例を示す。
【図２５Ａ】一般のＤＬサブフレームにおけるデータ領域のＲＥのＤｗＰＴＳに繰り返される第２の例を示す。
【図２５Ｂ】一般のＤＬサブフレームにおけるデータ領域のＲＥのＤｗＰＴＳに繰り返される第２の例を示す。
【図２５Ｃ】一般のＤＬサブフレームにおけるデータ領域のＲＥのＤｗＰＴＳに繰り返される第２の例を示す。
【図２６】数式５によって、ＤｗＰＴＳにＮＲＳをマッピングした場合の例を示す。
【図２７Ａ】一般のＤＬサブフレームにおけるデータ領域のＲＥのＤｗＰＴＳに繰り返される第３の例を示す。
【図２７Ｂ】一般のＤＬサブフレームにおけるデータ領域のＲＥのＤｗＰＴＳに繰り返される第３の例を示す。
【図２７Ｃ】一般のＤＬサブフレームにおけるデータ領域のＲＥのＤｗＰＴＳに繰り返される第３の例を示す。
【図２８】ＮＢ−ＩｏＴ  ＦＤＤにおいて繰り返しが適用される方法の例を示す。
【図２９】ＴＤＤのＵＬ／ＤＬの設定を示す。
【図３０】ＩＩ−１−２の案を例示的に示す。
【図３１】アンカー搬送波で繰り返しが適用される例を示す。
【図３２】本明細書の開示が具現化される無線機器及び基地局を示したブロック図である。
【図３３】図３２に示された無線機器のトランシーバーの詳細ブロック図である。
【発明を実施するための形態】
【００２３】
以下、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００２４】
本明細書で使われる技術的用語は、単に特定の実施例を説明するために使われたものであり、本発明を限定するものではないことに留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、辞書の定義によってまたは前後の文脈によって解釈されなければならず、過度に縮小された意味で解釈されてはならない。
【００２５】
また、本明細書で使われる単数の表現は、文脈上、明白に異なる意味ではない限り、複数の表現を含む。本出願において、“構成される”または“有する”などの用語は、明細書上に記載された複数の構成要素、または複数のステップを必ず全て含むと解釈されてはならず、そのうち一部の構成要素または一部のステップは含まないこともあり、または追加的な構成要素またはステップをさらに含むこともあると解釈されなければならない。
【００２６】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００２７】
一構成要素が他の構成要素に“連結されている”または“接続されている”と言及された場合、該当する他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００２８】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面の外に全ての変更、均等物乃至代替物にまで拡張されると解釈されなければならない。
【００２９】
以下で使われる用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−  ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３０】
また、以下で使われる用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００３１】
以下、３ＧＰＰ（３ｒｄ  Ｇｅｎｅｒａｔｉｏｎ  Ｐａｒｔｎｅｒｓｈｉｐ  Ｐｒｏｊｅｃｔ）３ＧＰＰ  ＬＴＥ（ｌｏｎｇ  ｔｅｒｍ  ｅｖｏｌｕｔｉｏｎ）または３ＧＰＰ  ＬＴＥ−Ａ（ＬＴＥ−Ａｄｖａｎｃｅｄ）に基づいて本発明が適用されることを記述する。これは例示に過ぎず、本発明は、多様な無線通信システムに適用されることができる。以下、ＬＴＥとは、ＬＴＥ及び／またはＬＴＥ−Ａを含む。
【００３２】
本明細書で使われる技術的用語は、単に特定の実施例を説明するために使われたものであり、本発明を限定するものではないことに留意しなければならない。また、本明細書で使われる技術的用語は、本明細書で特別に他の意味で定義されない限り、本発明が属する技術分野において、通常の知識を有する者により一般的に理解される意味で解釈されなければならず、過度に包括的な意味または過度に縮小された意味で解釈されてはならない。また、本明細書で使われる技術的な用語が本発明の思想を正確に表現することができない技術的用語である場合、当業者が正確に理解することができる技術的用語に変えて理解しなければならない。また、本発明で使われる一般的な用語は、辞書の定義によってまたは前後の文脈によって解釈されなければならず、過度に縮小された意味で解釈されてはならない。
【００３３】
また、本明細書で使われる単数の表現は、文脈上、明白に異なる意味ではない限り、複数の表現を含む。本出願において、“構成される”または“有する”などの用語は、明細書上に記載された複数の構成要素、または複数のステップを必ず全て含むと解釈されてはならず、そのうち一部構成要素または一部ステップは含まないこともあり、または追加的な構成要素またはステップをさらに含むこともあると解釈されなければならない。
【００３４】
また、本明細書で使われる第１及び第２などのように序数を含む用語は、多様な構成要素の説明に使われることができるが、前記構成要素は、前記用語により限定されてはならない。前記用語は、一つの構成要素を他の構成要素から区別する目的としてのみ使われる。例えば、本発明の権利範囲を外れない限り、第１の構成要素は第２の構成要素と命名することができ、同様に、第２の構成要素も第１の構成要素と命名することができる。
【００３５】
一構成要素が他の構成要素に“連結されている”または“接続されている”と言及された場合、該当他の構成要素に直接的に連結されており、または接続されていることもあるが、中間に他の構成要素が存在することもある。それに対し、一構成要素が他の構成要素に“直接連結されている”または“直接接続されている”と言及された場合、中間に他の構成要素が存在しないと理解しなければならない。
【００３６】
以下、添付図面を参照して本発明による好ましい実施例を詳細に説明し、図面符号に関係なしに同じまたは類似の構成要素は同じ参照番号を付与し、これに対する重なる説明は省略する。また、本発明を説明するにあたって、関連した公知技術に対する具体的な説明が本発明の要旨を不明にすると判断される場合、その詳細な説明を省略する。また、添付図面は、本発明の思想を容易に理解することができるようにするためのものであり、添付図面により本発明の思想が制限されると解釈されてはならないことに留意しなければならない。本発明の思想は、添付図面外に全ての変更、均等物乃至代替物にまで拡張されると解釈されなければならない。
【００３７】
以下で使われる用語である基地局は、一般的に無線機器と通信する固定局（ｆｉｘｅｄ  ｓｔａｔｉｏｎ）を意味し、ｅＮｏｄｅＢ（ｅｖｏｌｖｅｄ−ＮｏｄｅＢ）、ｅＮＢ（ｅｖｏｌｖｅｄ−  ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３８】
また、以下で使われる用語であるＵＥ（Ｕｓｅｒ  Ｅｑｕｉｐｍｅｎｔ）は、固定されてもよいし、移動性を有してもよく、機器（Ｄｅｖｉｃｅ）、無線機器（Ｗｉｒｅｌｅｓｓ  Ｄｅｖｉｃｅ）、端末（Ｔｅｒｍｉｎａｌ）、ＭＳ（ｍｏｂｉｌｅ  ｓｔａｔｉｏｎ）、ＵＴ（ｕｓｅｒ  ｔｅｒｍｉｎａｌ）、ＳＳ（ｓｕｂｓｃｒｉｂｅｒ  ｓｔａｔｉｏｎ）、ＭＴ（ｍｏｂｉｌｅ  ｔｅｒｍｉｎａｌ）等、他の用語で呼ばれることもある。
【００３９】
図１は、無線通信システムである。
【００４０】
図１を参照して分かるように、無線通信システムは、少なくとも一つの基地局（ｂａｓｅ  ｓｔａｔｉｏｎ、ＢＳ）２０を含む。各基地局２０は、特定の地理的領域（一般的にセルという）２０ａ、２０ｂ、２０ｃに対して通信サービスを提供する。また、セルは、複数の領域（セクターという）に分けられる。
【００４１】
ＵＥは、通常、一つのセルに属し、ＵＥが属するセルをサービングセル（ｓｅｒｖｉｎｇ  ｃｅｌｌ）という。サービングセルに対して通信サービスを提供する基地局をサービング基地局（ｓｅｒｖｉｎｇ  ＢＳ）という。無線通信システムは、セルラーシステム（ｃｅｌｌｕｌａｒ  ｓｙｓｔｅｍ）であるため、サービングセルに隣接する他のセルが存在する。サービングセルに隣接する他のセルを隣接セル（ｎｅｉｇｈｂｏｒ  ｃｅｌｌ）という。隣接セルに対して通信サービスを提供する基地局を隣接基地局（ｎｅｉｇｈｂｏｒ  ＢＳ）という。サービングセル及び隣接セルは、ＵＥを基準にして相対的に決定される。
【００４２】
以下、ダウンリンクは、基地局２０からＵＥ１０への通信を意味し、アップリンクは、ＵＥ１０から基地局２０への通信を意味する。ダウンリンクにおいて、送信機は基地局２０の一部分であり、受信機はＵＥ１０の一部分である。アップリンクにおいて、送信機はＵＥ１０の一部分であり、受信機は基地局２０の一部分である。
【００４３】
一方、無線通信システムは、大きく、ＦＤＤ（ｆｒｅｑｕｅｎｃｙ  ｄｉｖｉｓｉｏｎ  ｄｕｐｌｅｘ）方式とＴＤＤ（ｔｉｍｅ  ｄｉｖｉｓｉｏｎ  ｄｕｐｌｅｘ）方式とに分けられる。ＦＤＤ方式によると、アップリンク送信とダウンリンク送信が互いに異なる周波数帯域を占めて行われる。ＴＤＤ方式によると、アップリンク送信とダウンリンク送信が同じ周波数帯域を占めて互いに異なる時間に行われる。ＴＤＤ方式のチャネル応答は、実質的に相互的（ｒｅｃｉｐｒｏｃａｌ）である。これは与えられた周波数領域でダウンリンクチャネル応答とアップリンクチャネル応答がほぼ同じであるということを意味する。したがって、ＴＤＤに基づく無線通信システムにおいて、ダウンリンクチャネル応答は、アップリンクチャネル応答から得られることができるという長所がある。ＴＤＤ方式は、全体の周波数帯域をアップリンク送信とダウンリンク送信が時分割するため、基地局によるダウンリンク送信とＵＥによるアップリンク送信が同時に実行されることができない。アップリンク送信とダウンリンク送信がサブフレーム単位で区分されるＴＤＤシステムにおいて、アップリンク送信とダウンリンク送信は、互いに異なるサブフレームで実行される。
【００４４】
以下、ＬＴＥシステムに対し、より詳細に説明する。
【００４５】
図２は、３ＧＰＰ  ＬＴＥにおいて、ＦＤＤによる無線フレーム（ｒａｄｉｏ  ｆｒａｍｅ）の構造を示す。
【００４６】
図２を参照すると、無線フレームは、１０個のサブフレーム（ｓｕｂｆｒａｍｅ）を含み、一つのサブフレームは、２個のスロット（ｓｌｏｔ）を含む。無線フレーム内のスロットは、０から１９までのスロット番号が付けられる。一つのサブフレームの送信にかかる時間を送信時間区間（Ｔｒａｎｓｍｉｓｓｉｏｎ  Ｔｉｍｅ  ｉｎｔｅｒｖａｌ：ＴＴＩ）という。ＴＴＩは、データ送信のためのスケジューリング単位である。例えば、一つの無線フレームの長さは１０ｍｓであり、一つのサブフレームの長さは１ｍｓであり、一つのスロットの長さは０．５ｍｓである。
【００４７】
無線フレームの構造は、例示に過ぎず、無線フレームに含まれるサブフレームの数またはサブフレームに含まれるスロットの数等は、多様に変更されることができる。
【００４８】
一方、一つのスロットは、複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含むことができる。一つのスロットにいくつかのＯＦＤＭシンボルが含まれるかは、サイクリックプレフィックス（ｃｙｃｌｉｃ  ｐｒｅｆｉｘ：ＣＰ）によって変わることができる。
【００４９】
一つのスロットは、周波数領域（ｆｒｅｑｕｅｎｃｙ  ｄｏｍａｉｎ）でＮＲＢ個のリソースブロック（ＲＢ）を含む。例えば、ＬＴＥシステムにおいてリソースブロック（ＲＢ）の個数、すなわち、ＮＲＢは、６〜１１０のうち、いずれか一つでありうる。
【００５０】
リソースブロック（ｒｅｓｏｕｒｃｅ  ｂｌｏｃｋ：ＲＢ）は、リソース割当単位に、一つのスロットで複数の副搬送波を含む。例えば、一つのスロットが時間領域で７個のＯＦＤＭシンボルを含み、リソースブロックは、周波数領域で１２個の副搬送波を含むならば、一つのリソースブロックは、７×１２個のリソース要素（ｒｅｓｏｕｒｃｅ  ｅｌｅｍｅｎｔ：ＲＥ）を含むことができる。
【００５１】
３ＧＰＰ  ＬＴＥにおいて物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、並びにＰＵＣＣＨ（Ｐｈｙｓｉｃａｌ  Ｕｐｌｉｎｋ  Ｃｏｎｔｒｏｌ  Ｃｈａｎｎｅｌ）に分けることができる。
【００５２】
アップリンクチャネルは、ＰＵＳＣＨ、ＰＵＣＣＨ、ＳＲＳ（Ｓｏｕｎｄｉｎｇ  Ｒｅｆｅｒｅｎｃｅ  Ｓｉｇｎａｌ）、ＰＲＡＣＨ（Ｐｈｙｓｉｃａｌ  Ｒａｎｄｏｍ  Ａｃｃｅｓｓ  Ｃｈａｎｎｅｌ）を含む。
【００５３】
図３は、３ＧＰＰ  ＬＴＥにおいてＴＤＤによるダウンリンク無線フレームの構造を示す。
【００５４】
これは、３ＧＰＰ  ＴＳ  ３６．２１１  Ｖ１０．４．０（２０１１−１２）「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ１０）」の４節を参照でき、ＴＤＤ（Ｔｉｍｅ  Ｄｉｖｉｓｉｏｎ  Ｄｕｐｌｅｘ）のためのものである。
【００５５】
インデックス＃１とインデックス＃６を有するサブフレームは、スペシャルサブフレームといい、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）、及びＵｐＰＴＳ（Ｕｐｌｉｎｋ  Ｐｉｌｏｔ  Ｔｉｍｅ  Ｓｌｏｔ）を含む。ＤｗＰＴＳは、ＵＥにおける初期セル探索、同期化、またはチャネル推定に使用される。ＵｐＰＴＳは、基地局におけるチャネル推定とＵＥのアップ送信同期を合わせるのに使用される。ＧＰは、アップリンクとダウンリンクとの間で、ダウンリンク信号の多重経路遅延のため、アップリンクで生じる干渉を除去するための区間である。
【００５６】
ＴＤＤでは、一つの無線フレームにＤＬ（ｄｏｗｎｌｉｎｋ）サブフレームとＵＬ（Ｕｐｌｉｎｋ）サブフレームとが共存する。表１は、無線フレームの設定（ｃｏｎｆｉｇｕｒａｔｉｏｎ）の一例を表す。
【００５７】
【表１】
0006949979.tif 000002
【００５８】
「Ｄ」は、ＤＬサブフレーム、「Ｕ」は、ＵＬサブフレーム、「Ｓ」は、スペシャルサブフレームを表す。基地局からＵＬ−ＤＬの設定を受信すれば、ＵＥは、無線フレームの設定によってどのサブフレームがＤＬサブフレームまたはＵＬサブフレームであるかが分かる。
【００５９】
【表２】
0006949979.tif 000003
【００６０】
＜キャリアアグリゲーション＞
【００６１】
これから、キャリアアグリゲーション（ｃａｒｒｉｅｒ  ａｇｇｒｅｇａｔｉｏｎ：ＣＡ）システムについて説明する。
【００６２】
キャリアアグリゲーションシステムは、複数のコンポーネントキャリア（ｃｏｍｐｏｎｅｎｔ  ｃａｒｒｉｅｒ：ＣＣ）を集成することを意味する。このようなキャリアアグリゲーションによって、既存のセルの意味が変更された。キャリアアグリゲーションによれば、セルとは、ダウンリンクコンポーネントキャリアとアップリンクコンポーネントキャリアとの組み合わせ、または単独のダウンリンクコンポーネントキャリアを意味できる。
【００６３】
また、キャリアアグリゲーションにおいてセルは、プライマリセル（ｐｒｉｍａｒｙ  ｃｅｌｌ）とセカンダリセル（ｓｅｃｏｎｄａｒｙ  ｃｅｌｌ）、サービングセル（ｓｅｒｖｉｎｇ  ｃｅｌｌ）に区分されることができる。プライマリセルは、プライマリ周波数で動作するセルを意味し、ＮＢ  ＩｏＴ機器がこの基地局との初期接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を行うセル、またはハンドオーバー過程でプライマリセルに指示されたセルを意味する。セカンダリセルは、セカンダリ周波数で動作するセルを意味し、一応、ＲＲＣ接続が確立されれば設定され、追加的な無線リソースを提供するのに使用される。
【００６４】
上述したように、キャリアアグリゲーションシステムでは、単一搬送波システムと異なり、複数のコンポーネントキャリア（ＣＣ）、すなわち、複数のサービングセルを支援できる。
【００６５】
このようなキャリアアグリゲーションシステムは、クロスキャリアスケジューリングを支援できる。クロスキャリアスケジューリング（ｃｒｏｓｓ−ｃａｒｒｉｅｒ  ｓｃｈｅｄｕｌｉｎｇ）は、特定コンポーネントキャリアを介して送信されるＰＤＣＣＨによって他のコンポーネントキャリアを介して送信されるＰＤＳＣＨのリソース割当及び／又は前記特定コンポーネントキャリアと基本的にリンクされているコンポーネントキャリア以外の他のコンポーネントキャリアを介して送信されるＰＵＳＣＨのリソース割当が可能なスケジューリング方法である。
【００６６】
＜ＩｏＴ（Ｉｎｔｅｒｎｅｔ  ｏｆ  Ｔｈｉｎｇｓ）通信＞
【００６７】
一方、以下、ＩｏＴについて説明することとする。
【００６８】
図４Ａは、ＩｏＴ（Ｉｎｔｅｒｎｅｔ  ｏｆ  Ｔｈｉｎｇｓ）通信の一例を示す。
【００６９】
ＩｏＴは、人間の相互作用（ｈｕｍａｎ  ｉｎｔｅｒａｃｔｉｏｎ）を伴わないＩｏＴ機器１００間で基地局２００を介した情報交換又はＩｏＴ機器１００とサーバー７００との間で基地局２００を介した情報交換を言う。このように、ＩｏＴ通信がセルラー基地局を介するという点で、ＣＩｏＴ（Ｃｅｌｌｕｌａｒ  Ｉｎｔｅｒｎｅｔ  ｏｆ  Ｔｈｉｎｇｓ）とも呼ぶ。
【００７０】
このようなＩｏＴ通信は、ＭＴＣ（Ｍａｃｈｉｎｅ  Ｔｙｐｅ  ｃｏｍｍｕｎｉｃａｔｉｏｎ）の一種である。従って、ＩｏＴ機器をＭＴＣ機器とも呼ぶ。
【００７１】
ＩｏＴサービスは、従来の人間が介入される通信におけるサービスと差別化され、追跡（ｔｒａｃｋｉｎｇ）、計量（ｍｅｔｅｒｉｎｇ）、支払い（ｐａｙｍｅｎｔ）、医療分野のサービス、遠隔調整等の多様な範疇のサービスが含まれ得る。例えば、ＩｏＴサービスには、計量器検針、水位測定、監視カメラの活用、自販機の在庫報告等が含まれ得る。
【００７２】
ＩｏＴ通信は送信のデータ量が少なく、アップ又はダウンリンクデータの送受信がまれに発生するという特徴を有するので、低いデータ送信率に合わせてＩｏＴ機器１００の単価を下げて、バッテリーの消費量を減らすことが好ましい。また、ＩｏＴ機器１００は、移動性が少ないという特徴を有するので、チャネル環境が殆ど変わらない特性を有している。
【００７３】
図４Ｂは、ＩｏＴ機器のためのセルのカバレッジの拡張又は増大の例示である。
【００７４】
最近では、ＩｏＴ機器１００のために基地局のセルのカバレッジを拡張又は増大することを考慮しており、セルのカバレッジの拡張又は増大のための多様な技法が議論されている。
【００７５】
しかし、セルのカバレッジが拡張又は増大する場合、基地局が前記カバレッジの拡張（ｃｏｖｅｒａｇｅ  ｅｘｔｅｎｓｉｏｎ：ＣＥ）又はカバレッジの増大（ｃｏｖｅｒａｇｅ  ｅｎｈａｎｃｅｍｅｎｔ：ＣＥ）地域に位置するＩｏＴ機器にダウンリンクチャネルを送信すると、前記ＩｏＴ機器はこれを受信するのに困難をきたすことになる。同様に、ＣＥ地域に位置するＩｏＴ機器がアップリンクチャネルをそのまま送信すると、基地局はこれを受信するのに困難をきたすことになる。
【００７６】
このような問題点を解決するために、ダウンリンクチャネル又はアップリンクチャネルが多数のサブフレーム上で繰り返されて送信され得る。このように、多数のサブフレーム上で繰り返してアップリンク／ダウンリンクチャネルを送信することを束（ｂｕｎｄｌｅ）送信という。
【００７７】
図４Ｃは、ダウンリンクチャネルの束を送信する例を示した例示図である。
【００７８】
図４Ｃを参照して分かるように、基地局はカバレッジの拡張領域に位置するＩｏＴ機器１００にダウンリンクチャネル（例えば、ＰＤＣＣＨ及び／又はＰＤＳＣＨ）を多数のサブフレーム（例えば、Ｎ個のサブフレーム）上で繰り返して送信する。
【００７９】
そうすると、前記ＩｏＴ機器又は基地局はダウンリンク／アップリンクチャネルの束を多数のサブフレーム上で受信し、束の一部又は全体をデコーディングすることによって、デコーディングの成功率を高めることができる。
【００８０】
図５Ａ及び図５Ｂは、ＩｏＴ機器が動作する副帯域の例を示す例示図である。
【００８１】
ＩｏＴ機器のコスト削減（ｌｏｗ−ｃｏｓｔ）のための一つの案として、図５Ａに示されたように、セルのシステム帯域幅と関係なく、前記ＩｏＴ機器は、例えば１．４ＭＨｚ程度の副帯域（副帯域）を使用することができる。
【００８２】
このとき、このようなＩｏＴ機器が動作する副帯域の領域は、図５Ａに示されたように、前記セルのシステム帯域幅の中心領域（例えば、中央の６個のＰＲＢ）に位置してもよい。
【００８３】
或いは、図５Ｂに示されたように、ＩｏＴ機器間のサブフレーム内の多重化のために、ＩｏＴ機器の副帯域を一つのサブフレームに多数個置いて、ＩｏＴ機器間で異なる副帯域を使用することができる。このとき、多くのＩｏＴ機器は、前記セルのシステム帯域の中心領域（例えば、中央の６個のＰＲＢ）ではなく、異なる副帯域を使用してもよい。
【００８４】
このように、縮小された帯域幅上で動作するＩｏＴ通信をＮＢ（Ｎａｒｒｏｗ  Ｂａｎｄ）ＩｏＴ通信又はＮＢ  ＣＩｏＴ通信と呼び得る。
【００８５】
図６は、ＮＢ−ＩｏＴのために使用され得る時間リソースをＭ−フレームの単位で示した例を示す。
【００８６】
図６を参照すると、ＮＢ−ＩｏＴのために使用され得るフレームはＭ−フレームと呼ばれてもよく、長さは例示的に６０ｍｓであってもよい。また、ＮＢ  ＩｏＴのために使用され得るサブフレームは、Ｍ−サブフレームと呼ばれてもよく、長さは例示的に６ｍｓであってもよい。従って、Ｍ−フレームは１０個のＭ−サブフレームを含み得る。
【００８７】
各Ｍ−サブフレームは２個のスロットを含んでもよく、各スロットは例示的に３ｍｓであってもよい。
【００８８】
しかし、図６に示されたところと異なり、ＮＢ  ＩｏＴのために使用され得るスロットは、２ｍｓの長さを有してもよく、それによって、サブフレームは４ｍｓの長さを有し、フレームは４０ｍｓの長さを有してもよい。これについては、図６を参照してより具体的に説明する。
【００８９】
図７は、ＮＢ  ＩｏＴのために使用され得る時間リソースと周波数リソースを示した別の例示図である。
【００９０】
図７を参照すると、ＮＢ−ＩｏＴのアップリンクでスロット上に送信された物理チャネル又は物理信号は、時間領域（ｔｉｍｅ  ｄｏｍａｉｎ）でＮｓｙｍｂＵＬ個のＳＣ−ＦＤＭＡシンボルを含み、周波数領域（ｆｒｅｑｕｅｎｃｙ  ｄｏｍａｉｎ）でＮｓｃＵＬ個の副搬送波（ｓｕｂｃａｒｒｉｅｒｓ）を含む。アップリンクの物理チャネルは、ＮＰＵＳＣＨ（Ｎａｒｒｏｗｂａｎｄ  Ｐｈｙｓｉｃａｌ  Ｕｐｌｉｎｋ  Ｓｈａｒｅｄ  Ｃｈａｎｎｅｌ）及びＮＰＲＡＣＨ（Ｎａｒｒｏｗｂａｎｄ  Ｐｈｙｓｉｃａｌ  Ｒａｎｄｏｍ  Ａｃｃｅｓｓ  Ｃｈａｎｎｅｌ）に分けられる。また、ＮＢ−ＩｏＴにおける物理信号は、ＮＤＭＲＳ（Ｎａｒｒｏｗｂａｎｄ  ＤｅＭｏｄｕｌａｔｉｏｎ  Ｒｅｆｅｒｅｎｃｅ  Ｓｉｇｎａｌ）になり得る。
【００９１】
ＮＢ−ＩｏＴにおいて、Ｔｓｌｏｔスロットの間のＮｓｃＵＬ個の副搬送波のアップリンク帯域幅は次の通りである。
【００９２】
【表３】
0006949979.tif 000004
【００９３】
ＮＢ−ＩｏＴにおいて、リソースグリッドの各リソース要素（ＲＥ）は時間領域と周波数領域を指示するｋ＝０、…、ＮｓｃＵＬ−１であり、ｌ＝０、…、ＮｓｙｍｂＵＬ−１であるとき、スロット内でインデックス対（ｋ、ｌ）で定義され得る。
【００９４】
ＮＢ−ＩｏＴにおいて、ダウンリンクの物理チャネルは、ＮＰＤＳＣＨ（Ｎａｒｒｏｗｂａｎｄ  Ｐｈｙｓｉｃａｌ  Ｄｏｗｎｌｉｎｋ  Ｓｈａｒｅｄ  Ｃｈａｎｎｅｌ）、ＮＰＢＣＨ（Ｎａｒｒｏｗｂａｎｄ  Ｐｈｙｓｉｃａｌ  Ｂｒｏａｄｃａｓｔ  Ｃｈａｎｎｅｌ）、ＮＰＤＣＣＨ（Ｎａｒｒｏｗｂａｎｄ  Ｐｈｙｓｉｃａｌ  Ｄｏｗｎｌｉｎｋ  Ｃｏｎｔｒｏｌ  Ｃｈａｎｎｅｌ）を含む。また、下り物理信号は、ＮＲＳ（Ｎａｒｒｏｗｂａｎｄ  ｒｅｆｅｒｅｎｃｅ  ｓｉｇｎａｌ）、ＮＳＳ（Ｎａｒｒｏｗｂａｎｄ  ｓｙｎｃｈｒｏｎｉｚａｔｉｏｎ  ｓｉｇｎａｌ）、及びＮＰＲＳ（Ｎａｒｒｏｗｂａｎｄ  ｐｏｓｉｔｉｏｎｉｎｇ  ｒｅｆｅｒｅｎｃｅ  ｓｉｇｎａｌ）を含む。前記ＮＳＳは、ＮＰＳＳ（Ｎａｒｒｏｗｂａｎｄ  ｐｒｉｍａｒｙ  ｓｙｎｃｈｒｏｎｉｚａｔｉｏｎ  ｓｉｇｎａｌ）とＮＳＳＳ（Ｎａｒｒｏｗｂａｎｄ  ｓｅｃｏｎｄａｒｙ  ｓｙｎｃｈｒｏｎｉｚａｔｉｏｎ  ｓｉｇｎａｌ）を含む。
【００９５】
一方、ＮＢ−ＩｏＴは、低複雑度（ｌｏｗ−ｃｏｍｐｌｅｘｉｔｙ）／低コスト（ｌｏｗ−ｃｏｓｔ）によって縮小された帯域幅（即ち、狭帯域）を用いる無線機器のための通信方式である。このようなＮＢ−ＩｏＴ通信は、前記縮小された帯域幅上で数多くの無線機器を接続可能にすることを目標としている。さらに、ＮＢ−ＩｏＴ通信は、既存のＬＴＥ通信におけるセルのカバレッジよりもさらに広いセルのカバレッジを支援することを目標としている。
【００９６】
一方、前記縮小された帯域幅を有する搬送波は、前記表１を参照して分かるように、副搬送波の間隔（ｓｕｂｃａｒｒｉｅｒ  ｓｐａｃｉｎｇ）が１５ｋＨｚである場合、一つのＰＲＢのみを含む。即ち、ＮＢ−ＩｏＴ通信は、一つのＰＲＢのみを用いて行われ得る。ここで、無線機器が基地局からＮＰＳＳ／ＮＳＳＳ／ＮＰＢＣＨ／ＳＩＢ−ＮＢが送信されると仮定し、これを受信するために接続するＰＲＢをアンカーＰＲＢ（或いはアンカー搬送波）と呼び得る。一方、前記無線機器は、前記アンカーＰＲＢ（或いはアンカー搬送波）以外に、基地局からさらにＰＲＢを割り当てられ得る。ここで、前記更なるＰＲＢのうち、前記無線機器が前記基地局からＮＰＳＳ／ＮＳＳＳ／ＮＰＢＣＨ／ＳＩＢ−ＮＢの受信を期待しないＰＲＢを非アンカーＰＲＢ（或いは非アンカー搬送波）と呼び得る。
【００９７】
＜次世代移動通信のネットワーク＞
【００９８】
第４世代移動通信のためのＬＴＥ（ｌｏｎｇ  ｔｅｒｍ  ｅｖｏｌｕｔｉｏｎ）／ＬＴＥ−Ａｄｖａｎｃｅｄ（ＬＴＥ−Ａ）の成功に支えられて、次世代、即ち、第５世代（所謂５Ｇ）移動通信に対する関心も高まっており、研究も続々と進められている。
【００９９】
国際電気通信連合（ＩＴＵ）が定義する第５世代移動通信は、最大２０Ｇｂｐｓのデータ伝送速度と、どこでも最小１００Ｍｂｐｓ以上の体感伝送速度を提供することを言う。正式な名称は‘ＩＭＴ−２０２０’であり、世界的に２０２０年の商用化を目標としている。
【０１００】
ＩＴＵでは、３つの使用シナリオ、例えば、ｅＭＢＢ（ｅｎｈａｎｃｅｄ  Ｍｏｂｉｌｅ  ＢｒｏａｄＢａｎｄ）、ｍＭＴＣ（ｍａｓｓｉｖｅ  Ｍａｃｈｉｎｅ  Ｔｙｐｅ  Ｃｏｍｍｕｎｉｃａｔｉｏｎ）、及びＵＲＬＬＣ（Ｕｌｔｒａ  Ｒｅｌｉａｂｌｅ  ａｎｄ  Ｌｏｗ  Ｌａｔｅｎｃｙ  Ｃｏｍｍｕｎｉｃａｔｉｏｎｓ）を提示している。
【０１０１】
ＵＲＬＬＣは、高い信頼性と短い遅延時間を要求する使用シナリに関するものである。例えば、自動走行、工場自動化、拡張現実感のようなサービスは、高い信頼性と短い遅延時間（例えば、１ｍｓ以下の遅延時間）を要求する。現在、４Ｇ（ＬＴＥ）の遅延時間は、統計的に、２１−４３ｍｓ（ｂｅｓｔ１０％）、３３−７５ｍｓ（ｍｅｄｉａｎ）である。これは、１ｍｓ以下の遅延時間を要求するサービスを支援するには不足である。次に、ｅＭＢＢの使用シナリオは、移動超広帯域を要求する使用シナリオに関するものである。
【０１０２】
即ち、第５世代移動通信システムは、現在の４Ｇ  ＬＴＥよりも高い容量を目標とし、モバイル広帯域ユーザーの密度を高め、Ｄ２Ｄ（Ｄｅｖｉｃｅ  ｔｏ  Ｄｅｖｉｃｅ）、高い安定性、及びＭＴＣ（Ｍａｃｈｉｎｅ  ｔｙｐｅ  ｃｏｍｍｕｎｉｃａｔｉｏｎ）を支援することができる。５Ｇの研究開発はまた、モノのインターネットをよりよく具現化するために、４Ｇ移動通信システムよりも短い待機時間と少ないバッテリー消費を目標とする。このような５Ｇ移動通信のために、新たな無線アクセス技術（ｎｅｗ  ｒａｄｉｏ  ａｃｃｅｓｓ  ｔｅｃｈｎｏｌｏｇｙ：Ｎｅｗ  ＲＡＴ又はＮＲ）が提示され得る。
【０１０３】
前記ＮＲにおいて、基地局からの受信は、ダウンリンクサブフレームを用いて、基地局への送信はアップリンクサブフレームを用いることが考慮され得る。この方式は、対からなったスペクトル及び対をなしていないスペクトルに適用され得る。一対のスペクトルは、ダウンリンク及びアップリンクの動作のために二つの搬送波スペクトルを含むということを意味する。例えば、一対のスペクトルにおいて、一つの搬送波は互いに対をなすダウンリンク帯域及びアップリンク帯域を含んでもよい。
【０１０４】
図８は、ＮＲにおけるサブフレームの類型の例を図示する。
【０１０５】
図８に示されたＴＴＩ（ｔｒａｎｓｍｉｓｓｉｏｎ  ｔｉｍｅ  ｉｎｔｅｒｖａｌ）は、ＮＲ（又はｎｅｗ  ＲＡＴ）のためのサブフレーム又はスロットと呼ばれ得る。図８のサブフレーム（又はスロット）は、データの送信遅延を最小化するために、ＮＲ（又はｎｅｗ  ＲＡＴ）のＴＤＤシステムで使用され得る。図８に示されたように、サブフレーム（又はスロット）は、現在のサブフレームと同様に、１４個のシンボルを含む。サブフレーム（又はスロット）の前部のシンボルは、ＤＬ制御チャネルのために用いられてもよく、サブフレーム（又はスロット）の後部のシンボルは、ＵＬ制御チャネルのために用いられてもよい。残りのシンボルは、ＤＬデのータの送信又はＵＬデータ送信のために用いられてもよい。このようなサブフレーム（又はスロット）の構造によると、ダウンリンク送信とアップリンク送信は、一つのサブフレーム（又はスロット）で順次行われ得る。従って、サブフレーム（又はスロット）内でダウンリンクデータが受信されてもよく、そのサブフレーム（又はスロット）内でアップリンク確認応答（ＡＣＫ／ＮＡＣＫ）が送信されてもよい。このようなサブフレーム（又はスロット）の構造を自己完結型（ｓｅｌｆ−ｃｏｎｔａｉｎｅｄ）サブフレーム（又はスロット）といえる。このようなサブフレーム（又はスロット）の構造を使用すると、受信誤りやデータの再送信にかかる時間が減り、最終データ送信の待機時間が最小化されることができるという長所がある。このような自己完結型（ｓｅｌｆ−ｃｏｎｔａｉｎｅｄ）サブフレーム（又はスロット）の構造において、送信モードから受信モードへ、又は受信モードから送信モードへの転移過程に時間差（ｔｉｍｅ  ｇａｐ）が必要であり得る。このため、サブフレームの構造において、ＤＬからＵＬへ切り替えるときの一部のＯＦＤＭシンボルは、保護区間（Ｇｕａｒｄ  Ｐｅｒｉｏｄ：ＧＰ）に設定され得る。
【０１０６】
＜多様なヌメロロジー（ｎｕｍｅｒｏｌｏｇｙ）の支援＞
【０１０７】
次期システムでは、無線通信技術の発達に伴って、端末に多数のヌメロロジー（ｎｕｍｅｒｏｌｏｇｙ）が提供されることもある。
【０１０８】
前記ヌメロロジーは、ＣＰ（ｃｙｃｌｅ  ｐｒｅｆｉｘ）の長さと副搬送波の間隔（Ｓｕｂｃａｒｒｉｅｒ  Ｓｐａｃｉｎｇ）によって定義され得る。一つのセルは、複数のヌメロロジーを端末へ提供し得る。ヌメロロジーのインデックスをμで表すとき、各副搬送波の間隔と、該当するＣＰの長さは、下記表の通りである。
【０１０９】
【表４】
0006949979.tif 000005
【０１１０】
一般ＣＰの場合、ヌメロロジーのインデックスをμで表すとき、スロット当たりのＯＦＤＭシンボルの個数（Ｎｓｌｏｔｓｙｍｂ）、フレーム当たりのスロットの個数（Ｎｆｒａｍｅ，μｓｌｏｔ）、及びサブフレーム当たりのスロットの個数（Ｎｓｕｂｆｒａｍｅ，μｓｌｏｔ）は下記表の通りである。
【０１１１】
【表５】
0006949979.tif 000006
【０１１２】
拡張ＣＰの場合、ヌメロロジーのインデックスをμで表すとき、スロット当たりのＯＦＤＭシンボルの個数（Ｎｓｌｏｔｓｙｍｂ）、フレーム当たりのスロットの個数（Ｎｆｒａｍｅ，μｓｌｏｔ）、及びサブフレーム当たりのスロットの個数（Ｎｓｕｂｆｒａｍｅ，μｓｌｏｔ）は下記表の通りである。
【０１１３】
【表６】
0006949979.tif 000007
【０１１４】
一方、次世代移動通信では、シンボル内における各シンボルは、下記表の通りダウンリンクに用いられてもよく、又はアップリンクに用いられてもよい。下記表において、アップリンクはＵで表され、ダウンリンクはＤで表された。下記表において、Ｘはアップリンク又はダウンリンクに柔軟に用いられ得るシンボルを表す。
【０１１５】
【表７−１】
0006949979.tif 000008
【０１１６】
【表７−２】
0006949979.tif 000009
【０１１７】
＜本明細書の開示＞
【０１１８】
本明細書の開示は、ＴＤＤ（Ｔｉｍｅ−Ｄｉｖｉｓｉｏｎ  Ｄｕｐｌｅｘｉｎｇ）スペシャルサブフレーム上でＮＢ−ＩｏＴ（Ｎａｒｒｏｗ  ｂａｎｄ  Ｉｎｔｅｒｎｅｔ  ｏｆ  Ｔｈｉｎｇｓ）機器にダウンリンクチャネルを送信できるようにする案を提示する。
【０１１９】
ＮＢ−ＩｏＴは、次の三つの動作モードの何れかで動作し得る。前記三つの動作モードは、保護帯域（ｇｕａｒｄ−ｂａｎｄ）の動作モード、スタンドアローン（ｓｔａｎｄ−ａｌｏｎｅ）の動作モード、インバンド（Ｉｎ−ｂａｎｄ）の動作モードを含み得る。基地局は動作モードを設定した後、上位層のシグナリング、例えば、ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）を介して端末（例えば、ＮＢ−ＩｏＴ機器）へ送信する。
【０１２０】
前記インバンドの動作モードは、第１のＬＴＥセルが動作する帯域内の一部帯域でＮＢ−ＩｏＴセルが動作することを意味する。ＮＢ−ＩｏＴセルとＬＴＥセルが同じ物理セルＩＤ（Ｐｈｙｓｉｃａｌ  ｃｅｌｌ  ＩＤ：以下、ＰＣＩともいう）を共有するインバンド同一ＰＣＩモード（ｉｎｂａｎｄ−ｓａｍｅＰＣＩ）と、ＮＢ−ＩｏＴセルとＬＴＥセルが互いに異なるＰＣＩを使用するインバンド相違ＰＣＩモード（ｉｎｂａｎｄ−ＤｉｆｆｅｒｅｎｔＰＣＩ）とに区分される。
【０１２１】
前記インバンド同一ＰＣＩモードでは、ＮＲＳの個数とＣＲＳの個数が同一である。
【０１２２】
前記保護帯域の動作モードは、ＬＴＥ帯域のうち保護帯域で定義され、ＬＴＥセルに使用されない部分をＮＢ−ＩｏＴセルが使用することを意味する。例えば、第１のＬＴＥセルが動作する第１帯域と第２のＬＴＥセルが動作する第２帯域との間に存在する保護帯域上で前記ＮＢ−ＩｏＴセルが動作し得る。
【０１２３】
前記スタンドアローンの動作モードは、非ＬＴＥセルが動作する帯域上でＮＢ−ＩｏＴセルが動作することを意味する。例えば、ＧＳＭセルが動作する帯域内の一部を使用し、ＮＢ−ＩｏＴセルが動作し得る。
【０１２４】
Ｉ．第１開示
【０１２５】
本明細書の第１開示は、送信の単位（ｕｎｉｔ）に繰り返し（ｒｅｐｅｔｉｔｉｏｎ）が適用される場合、送信の単位間でシンボルレベル結合（ｓｙｍｂｏｌ  ｌｅｖｅｌ  ｃｏｍｂｉｎｉｎｇ）とクロスサブフレームチャネル推定（ｃｒｏｓｓ  ｓｕｂｆｒａｍｅ  ｃｈａｎｎｅｌ  ｅｓｔｉｍａｔｉｏｎ）の実行を可能にするための案を提示する。具体的に、本明細書の第１開示は、ＴＤＤ（Ｔｉｍｅ−Ｄｉｖｉｓｉｏｎ  Ｄｕｐｌｅｘｉｎｇ）で動作するＮＢ−ＩｏＴ（Ｎａｒｒｏｗ  ｂａｎｄ  Ｉｎｔｅｒｎｅｔ  ｏｆ  Ｔｈｉｎｇｓ）を支援するために、ダウンリンク物理チャネルを送信するときにスロット単位の送信案を提示し、これをスケジューリングする案を提示する。説明される第１開示は、サブフレームレベル（ｌｅｖｅｌ）の繰り返しが適用される場合、インターリービング（ｉｎｔｅｒｌｅａｖｉｎｇ）を用いたＲＥのマッピング案に適用され得る。
【０１２６】
ＴＤＤではＦＤＤとは異なり、使用可能なアップリンク及びダウンリンクサブフレームの個数がＵＬ／ＤＬの設定に応じて制限され得る。また、数多くの接続（ｍａｓｓｉｖｅ  ｃｏｎｎｅｃｔｉｖｉｔｙ）を考慮し、非常に大きな回数の繰り返しを支援するためには、充分な個数のサブフレームが必要であり得る。具体的に、ＴＤＤでは、スペシャルサブフレームの一部領域、例えば、ＤｗＰＴＳがダウンリンクの目的で使用され得る。このとき、ＤｗＰＴＳの大きさは、最少３個のシンボルから最大１２個のシンボルにサブフレームを構成するＲＥに比べて、小さいＲＥで構成されている。また、ＬＴＥを使用するセルの場合、各サブフレームの第１番目乃至第３番目のシンボルが制御チャネルの目的で設計されているため、該当領域をＮＢ−ＩｏＴの目的で使用できないことがある。現在、３ＧＰＰリリース１４まで定義されているＮＢ−ＩｏＴ  ＦＤＤの構造は、ＲＥのマッピングや繰り返しの構成、及びＮＰＤＳＣＨスケジューリングの単位がサブフレームである。もし、このようなＦＤＤの構造がＴＤＤで活用される場合、一つのサブフレームを構成できないＤｗＰＴＳでのＲＥの不足現象により、スペシャルサブフレームの活用は適合しないことがある。従って、ＮＢ−ＩｏＴがＴＤＤの構造を支援するためには、スペシャルサブフレームのＤｗＰＴＳの領域を効率的に活用するための案が必要であり得る。
【０１２７】
第１開示では、ＴＤＤの構造を支援する通信システムでスペシャルサブフレームのＤｗＰＴＳの領域を用いてダウンリンク物理チャネルを送信するとき、スロット単位でＲＥのマッピング、繰り返し、及びスケジューリングが行われる方法を扱っている。具体的に、提案する方法は、ＮＢ−ＩｏＴのように一つ以上のシンボルが束ねられている単位で送信ブロックが構成され、送信ブロックに対する繰り返しが適用可能な場合に適用され得る。以降の本節における説明は、ＮＢ−ＩｏＴを基準に記述されているが、送信ブロックが一つ以上のシンボルが束ねられ、スロットの大きさのリソース単位を構成することができる一般的な通信技術にも適用可能であることは自明である。また、本節においては、説明の便宜上、スロットを基準に説明が記述されているが、一つ以上のシンボルが集まって構成する異なる構造のリソース単位（例えば、サブフレーム）にも同じ案が適用され得ることは自明である。
【０１２８】
Ｉ−１．データ送信のためのＤｗＰＴＳを使用するための条件
【０１２９】
本節においては、スペシャルサブフレームのＤｗＰＴＳの領域がデータ送信の用途に使用できる条件を決定する方法を含む。
【０１３０】
Ｉ−１−１．ＤｗＰＴＳでＣＦＩ（Ｃｏｎｔｒｏｌ  Ｆｏｒｍａｔ  Ｉｎｄｉｃａｔｏｒ）領域を除いたシンボルの個数がＸ個以上である場合、スペシャルサブフレームのＤｗＰＴＳの領域は一つのスロットに使用され得る。
【０１３１】
Ａ．前記Ｘの大きさは７であり得る。
【０１３２】
具体的に、前記の条件は、スペシャルサブフレームの設定＃１、＃２、＃３、＃４、＃６、＃７と＃８である場合には、ＤｗＰＴＳの領域をデータの送信が可能なスロットに使用できるということを意味する。
【０１３３】
具体的に、前記の条件は、スペシャルサブフレームの設定＃０、＃５と＃９の場合には、ＤｗＰＴＳの領域をデータの送信が可能なスロットに使用しないということを意味する。
【０１３４】
Ｂ．Ｘの大きさは６であり得る。
【０１３５】
具体的に、前記の条件は、スペシャルサブフレームの設定＃１、＃２、＃３、＃４、＃６、＃７と＃８である場合には、ＤｗＰＴＳの領域をデータの送信が可能なスロットに使用できるということを意味する。
【０１３６】
具体的に、前記の条件は、スペシャルサブフレームの設定＃０と＃５の場合には、ＤｗＰＴＳの領域をデータの送信が可能なスロットに使用しないということを意味する。
【０１３７】
具体的に、前記の条件は、スペシャルサブフレームの設定＃９であり、動作モード（ｏｐｅｒａｔｉｏｎ  ｍｏｄｅ）が保護帯域（ｇｕａｒｄ−ｂａｎｄ）であるか、スタンドアローン（ｓｔａｎｄ−ａｌｏｎｅ）である場合には、ＤｗＰＴＳの領域をデータの送信が可能なスロットに使用できるということを意味する。
【０１３８】
前記動作モードは、保護帯域（ｇｕａｒｄ−ｂａｎｄ）、スタンドアローン（ｓｔａｎｄ−ａｌｏｎｅ）、インバンド（Ｉｎ−ｂａｎｄ）の何れかを示す。前記動作モードは、上位層のシグナリング、例えば、ＭＩＢ（Ｍａｓｔｅｒ  Ｉｎｆｏｒｍａｔｉｏｎ  Ｂｌｏｃｋ）、ＳＩＢ（Ｓｙｓｔｅｍ  Ｉｎｆｏｒｍａｔｉｏｎ  Ｂｌｏｃｋ）を介して基地局から受信される。
【０１３９】
前記インバンドの動作モードは、第１のＬＴＥセルが動作する帯域内の一部帯域でＮＢ−ＩｏＴセルが動作することを意味する。ＮＢ−ＩｏＴセルとＬＴＥセルが同じ物理セルＩＤ（Ｐｈｙｓｉｃａｌ  ｃｅｌｌ  ＩＤ：以下、ＰＣＩともいう）を共有するインバンド同一ＰＣＩモード（Ｉｎ−ｂａｎｄ−ｓａｍｅ  ＰＣＩ  ｍｏｄｅ）と、ＮＢ−ＩｏＴセルとＬＴＥセルが互いに異なるＰＣＩを使用するインバンド相違ＰＣＩモード（Ｉｎ−ｂａｎｄ−ｄｉｆｆｅｒｅｎｔ  ＰＣＩ  ｍｏｄｅ）とに区分される。
【０１４０】
前記インバンド同一ＰＣＩモードでは、ＮＲＳの個数とＣＲＳの個数が同一である。
【０１４１】
前記保護帯域の動作モードは、ＬＴＥ帯域のうち保護帯域で定義され、ＬＴＥセルに使用されない部分をＮＢ−ＩｏＴセルが使用することを意味する。例えば、第１のＬＴＥセルが動作する第１帯域と第２のＬＴＥセルが動作する第２帯域との間に存在する保護帯域上で前記ＮＢ−ＩｏＴセルが動作し得る。
【０１４２】
前記スタンドアローンの動作モードは、非ＬＴＥセルが動作する帯域上でＮＢ−ＩｏＴセルが動作することを意味する。例えば、ＧＳＭセルが動作する帯域内の一部を使用し、ＮＢ−ＩｏＴセルが動作し得る。
【０１４３】
具体的に、前記の条件は、スペシャルサブフレームの設定＃９であり、動作モードがインバンドの動作モード（ｉｎ−ｂａｎｄ  ｏｐｅｒａｔｉｏｎ  ｍｏｄｅ）である場合には、ＤｗＰＴＳの領域をデータの送信が可能なスロットに使用しないということを意味する。
【０１４４】
Ｃ．Ｘの大きさに応じて、ＤｗＰＴＳのリソース単位の扱いは変わり得る。
【０１４５】
例えば、Ｘ≦Ｘｓｙｍｂｏｌを満たす場合には、ＤｗＰＴＳをシンボル又はデータの送信ができない領域として取り扱い、Ｘｓｙｍｂｏｌ＜Ｘ≦Ｘｓｌｏｔを満たす場合には、ＤｗＰＴＳをスロットとして取り扱い、Ｘｓｌｏｔ＜Ｘの場合には、ＤｗＰＴＳをサブフレームとして取り扱うことができる。
【０１４６】
Ｄ．前記でＸの大きさは、ＣＦＩ（Ｃｏｎｔｒｏｌ  Ｆｏｒｍａｔ  Ｉｎｄｉｃａｔｏｒ）の大きさに応じて変わり得る。
【０１４７】
前記で提案された条件は、ＤｗＰＴＳがデータ送信の目的で使用される場合、最小限のスロットの大きさを保証するための目的であり得る。例えば、スペシャルサブフレームの設定＃０と＃５の場合、使用可能なシンボルの個数は最大３シンボルであるため、一つのスロットを構成するのに適合しないことがある。スペシャルサブフレームの設定＃９の場合には、ＣＦＩ＝０である場合に使用可能なシンボルの個数が６個であって一つのスロットで一つのシンボルをパンクチャリング（ｐｕｎｃｔｕｒｉｎｇ）した形態で使用されることもある。
【０１４８】
もし、前記でＤｗＰＴＳがデータ送信の目的で使用され、ＤｗＰＴＳがサブフレーム単位のスケジューリングに使用される場合、使用可能なシンボルの個数に応じて、一部シンボルがパンクチャリングされ得る。もし、繰り返しが適用されない送信の場合（又は繰り返しのレベルが特定の臨界値以下である場合）、一部シンボルをパンクチャリングする代わりに、ＤｗＰＴＳの領域で使用可能なＲＥの個数に合わせてレートマッチング（ｒａｔｅ  ｍａｔｃｈｉｎｇ）を行うように決めてもよい。
【０１４９】
Ｉ−１−２．スペシャルサブフレームにおけるＤｗＰＴＳの領域を一つのスロットに使用するか否かは、基地局が決定して該当情報を端末に知らせることができる。  
【０１５０】
前記で該当情報は、ＳＩＢやＲＲＣシグナルのような上位層のシグナルを介して端末に指示され得る。
【０１５１】
この時の情報は、各搬送波別に互いに異なって設定されることもある。
【０１５２】
前記で該当情報は、ＤＣＩを介して動的に（ｄｙｎａｍｉｃ）端末に指示（ｉｎｄｉｃａｔｅ）され得る。
【０１５３】
このときの該当情報は：
【０１５４】
−  利用可能か否かを知らせる１ビットの情報になり得る。
【０１５５】
−  端末がＤｗＰＴＳの領域を使用することができるスペシャルサブフレームを知らせる複数ビット（ｍｕｌｔｉ−ｂｉｔ）で構成されたビットマップの形態の情報になり得る。
【０１５６】
前記で提案された条件は、基地局がＤｗＰＴＳに対する使用を制御できるように許容するための目的であり得る。
【０１５７】
Ｉ−１−１とＩ−１−２で提示された案は、互いに組み合わせて使用され得る。このとき、Ｉ−１−１で提案される案が適用可能なスペシャルサブフレームの設定を決定し、端末であるスペシャルサブフレームにおけるＤｗＰＴＳの領域を一つのスロットに使用するか否かは、１−１−２で説明された内容に従うことができる。
【０１５８】
Ｉ−１−３．スペシャルサブフレームにおけるＤｗＰＴＳの領域を一つのスロットに使用するか否かは、動作モード（ｏｐｅｒａｔｉｏｎ  ｍｏｄｅ）に応じて決定され得る。
【０１５９】
Ａ．スペシャルサブフレームにおけるＤｗＰＴＳの領域を一つのスロットに使用する動作モードは、インバンドの動作モード（ｉｎ−ｂａｎｄ  ｏｐｅｒａｔｉｏｎ  ｍｏｄｅ）である場合に限って適用され得る。
【０１６０】
Ｂ．動作モードが保護帯域（ｇｕａｒｄ−ｂａｎｄ）、スタンドアローン（ｓｔａｎｄ−ａｌｏｎｅ）である場合、ＤｗＰＴＳの領域は一つのサブフレーム単位で使用され得る。
【０１６１】
このとき、ＧＡＰやＵｐＰＴＳの目的で割り当てられて使用できないＯＦＤＭシンボルの場合、スペシャルサブフレームではなく、ＤＬサブフレームを基準にＲＥのマッピングを行った後、使用できないＯＦＤＭシンボルをパンクチャリングし得る。
【０１６２】
前記条件は、ＮＰＤＳＣＨの送信ブロックが繰り返される単位であるＭＮＰＤＳＣＨｒｅｐの大きさが２以上である場合に限って適用され得る。もし、ＭＮＰＤＳＣＨｒｅｐ＝１である場合、スペシャルサブフレーム内のＲＥのマッピングは、スペシャルサブフレーム内のＤｗＰＴＳの領域でＤＬデータの目的で使用可能なＲＥに限って行われ得る。
【０１６３】
これは、前記提案された条件は動作モード毎に使用可能なＯＦＤＭシンボルの個数が互いに異なるためであり得る。
【０１６４】
Ｉ−２．スペシャルサブフレームにおけるＮＲＳ設定
【０１６５】
本節で提案する方法は、スペシャルサブフレームにおけるＤｗＰＴＳを一つのスロットに使用する場合、該当スロットにＮＲＳを構成する方法を含み得る。具体的に、ＮＢ−ＩｏＴではスロット間でクロスチャネル推定（ｃｒｏｓｓ  ｃｈａｎｎｅｌ  ｅｓｔｉｍａｔｉｏｎ）とコヒーレント（ｃｏｈｅｒｅｎｔ）結合が可能であり、一つのスロットが数回繰り返される構造に容易なようにＮＲＳの構造が設計されなければならない。
【０１６６】
Ｉ−２−１．スペシャルサブフレームにおけるＤｗＰＴＳの領域がダウンリンク物理チャネルの送信目的のスロットで構成される場合、ＮＲＳがマッピングされるＲＥの位置は、下記のような基準で決定され得る。
【０１６７】
【数１】
0006949979.tif 000010
【０１６８】
前記数式を用いたＮＲＳのマッピングは、スペシャルサブフレーム内で第１番目のスロットの領域に限って適用され得る。
【０１６９】
前記数式において、ｌは、一部の値のみが用いられ得る。前記数式において、ＤＤＬｓｙｍｂｌは、一つのスロット内に存在するＯＦＤＭシンボルの個数を意味する。スロット内に存在するＯＦＤＭシンボルの個数が７である場合、前記ｌは、３、４、７のうち一つ以上であってもよい。このとき、前記ＮＲＳは、スロット内の３番、４番、７番のＯＦＤＭシンボル上で送信され得る。これは、該当スペシャルサブフレーム上で制御領域（即ち、ＰＤＣＣＨの送信領域）に用いられ得る１番及び２番のシンボル以外のシンボルを除くためである。或いは、スロット内に存在するＯＦＤＭシンボルの個数が６である場合、前記ｌは、２、３、６のうち一つ以上であってもよい。このとき、前記ＮＲＳは、スロット内の２番、３番、６番のＯＦＤＭシンボル上で送信され得る。或いは、スロット内に存在するＯＦＤＭシンボルの個数が５である場合、前記ｌは、１、２、５であってもよい。
【０１７０】
前記数式において、ｋは、一つのＰＲＢの周波数ドメイン上でのインデックスを意味し、ｌは一つのスロットの時間ドメイン上でのインデックスを意味する。前記数式において、ｖｓｈｉｆｔ値は、セル固有周波数シフト（ｓｈｉｆｔ）値であって、ｖｓｈｉｆｔ  ＝  ＮＮｃｅｌｌＩＤ  ｍｏｄ６の数式で決定され得る。
【０１７１】
前記数式において、ｖ値は下記の基準のうち一つに決定され得る。このとき、ｐは、ＮＲＳが送信されるアンテナポートのインデックスを意味する。
【０１７２】
【数２】
0006949979.tif 000011
【０１７３】
図９は、Ｉ−２−１の案に沿ってＮＲＳをマッピングする場合に対する一例を示した例示図である。
【０１７４】
動作モードに応じてスペシャルサブフレームにおけるＮＲＳのマッピング方式が異なる場合、Ｉ−２−１の案は、インバンド（ｉｎ−ｂａｎｄ）の動作モードである場合に適用され得る。このとき、保護バンド（ｇｕａｒｄ−ｂａｎｄ）又はスタンドアローン（ｓｔａｎｄ−ａｌｏｎｅ）の動作モードでは、スペシャルサブフレームではなく、他のＤＬサブフレームのＮＲＳのマッピング方式に従うように決めてもよい。
【０１７５】
Ｉ−２−１の案において、ＮＲＳがマッピングされる基準は、動作モードがインバンド（ｉｎ−ｂａｎｄ）である場合、スペシャルサブフレームでＣＦＩによって使用できないＯＦＤＭシンボルの位置を考慮するためであり得る。また、スペシャルサブフレームではなく、他のＤＬサブフレームに含まれたスロットでＣＲＳとＮＲＳの目的でパンクチャリングされるＲＥの位置がスペシャルサブフレームで新たに定義されるＮＲＳの位置に再使用され、コヒーレント（ｃｏｈｅｒｅｎｔ）結合を考慮したＲＥのマッピングの過程で追加的なパンクチャリングを最小化するための目的であり得る。コヒーレント（ｃｏｈｅｒｅｎｔ）結合を考慮したＲＥのマッピングの詳細な方法は、後述するＩ−３−３で記述された内容に従うことができる。
【０１７６】
Ｉ−２−２．スペシャルサブフレームにおけるＤｗＰＴＳの領域がダウンリンク物理チャネルの送信目的のスロットで構成される場合、ＮＲＳがマッピングされるＲＥの位置は、ＤＬサブフレームと同様に決定され得る。
【０１７７】
このとき、ＤｗＰＴＳに含まれないＯＦＤＭシンボルにはＮＲＳを送信しないように決めてもよい。
【０１７８】
Ｉ−３．ＲＥにマッピング
【０１７９】
スペシャルサブフレームにおけるＤｗＰＴＳを一つのスロットに使用する場合、既存のサブフレーム単位の送信を考慮したＮＢ−ＩｏＴの送信ブロックの構成方法は、適合しないことがある。本節では、スペシャルサブフレームにおけるＤｗＰＴＳの領域がデータ送信の用途に使用される場合、これを一つのスロットと見なしてこれを活用するために、ダウンリンク物理チャネルの送信時、データシンボルを各ＲＥ（ｒｅｓｏｕｒｃｅ  ｅｌｅｍｅｎｔ）にマッピングする方法を含み得る。下記の説明は、便宜のためにＮＰＤＳＣＨをベースに記述されているが、一つ以上のシンボルが集まって一つの送信ブロックを構成する他のダウンリンク物理チャネルにも一般に適用され得る。
【０１８０】
Ｉ−３−１）ＴＤＤでＮＰＤＳＣＨの最小の送信単位はスロットで定義する。このとき、一つのＮＰＤＳＣＨの送信ブロックは、Ｎｓｌｏｔ個のスロットにマッピングされてもよく、ＭＮＰＤＳＣＨｒｅｐ回繰り返し送信されてもよい。
【０１８１】
Ａ．ＮＰＤＳＣＨの送信に使用するＲＥは、スペシャルサブフレームではなく、ダウンリンクサブフレームの第２番目のスロットを基準にＣＲＳとＮＲＳの目的で使用されないＲＥに決めてもよい。
【０１８２】
このとき、もし、特定のスロットで前記の基準にＮＰＤＳＣＨの送信に使用可能なように決められたＲＥが使用できない場合、該当ＲＥはパンクチャリングするように決めてもよい。
【０１８３】
このとき、もし、特定のスロットで前記の基準にＮＰＤＳＣＨの送信に使用できないように決められたＲＥがＣＲＳやＮＲＳの目的で使用されなくても、該当ＲＥはＮＰＤＳＣＨの送信に使用しないように決めてもよい。
【０１８４】
前記ＮＰＤＳＣＨの送信に使用するＲＥを決定する方法は、ＮＰＤＳＣＨの送信ブロックの繰り返しの大きさＭＮＰＤＳＣＨｒｅｐが２以上である場合に限って適用され得る。もし、ＭＮＰＤＳＣＨｒｅｐ＝１である場合、ＮＰＤＳＣＨの送信に使用されるＲＥは、各スロット別にＣＲＳとＮＲＳの目的で使用されないか、他のシステムで使用するために予約されている場合（例えば、制御チャネル）に限って使用するように決めてもよい。
【０１８５】
図１０は、Ｉ−３−１の案に沿って使用可能なＲＥの位置を例示的に示した例示図である。
【０１８６】
図１０において、周波数ドメイン上の位置は、セルのＩＤの値によって変わり得る。
【０１８７】
Ｂ．Ｎｓｌｏｔを決定するために、ＤＣＩを介して指定されるＮＰＤＳＣＨのリソース割り当ての情報は、スロット単位で表現され得る。
【０１８８】
このとき、Ｎｓｌｏｔの値は、ＤＣＩに定義されたリソース割り当て（ｒｅｓｏｕｒｃｅ  ａｓｓｉｇｎｍｅｎｔ：ＲＡ）フィールドの情報であるＩＳＦによって決定され得る。下記の表は、ＩＳＦを介してＮｓｌｏｔを決定する一例を示す。即ち、下記の表は、ＴＤＤの場合に、ＮＰＤＳＣＨのためのスロットの個数（Ｎｓｌｏｔ）を表す。
【０１８９】
【表８】
0006949979.tif 000012
【０１９０】
このとき、Ｎｓｌｏｔの値は、ＤＣＩに定義されたリソース割り当て（ｒｅｓｏｕｒｃｅ  ａｓｓｉｇｎｍｅｎｔ：ＲＡ）フィールドの情報ＩＳＦとＴＢＳ（Ｔｒａｎｓｍｉｓｓｉｏｎ  Ｂｌｏｃｋ  Ｓｉｚｅ）の情報であるＩＴＢＳの組み合わせで決定され得る。例えば、ＩＳＦ値を介して可能なスロットの個数Ｎｓｌｏｔ，１を指定し、特定のしきい値（ｔｈｒｅｓｈｏｌｄ）ｋに対してＩＴＢＳ≦ｋである場合には、Ｎｓｌｏｔ＝Ｎｓｌｏｔ，１−１の値を、ＩＴＢＳ＞ｋである場合には、Ｎｓｌｏｔ＝Ｎｓｌｏｔ，１の値を有するように決めてもよい。
【０１９１】
Ｃ．繰り返しが適用される場合、繰り返しが適用される基準はスロットを単位に設定され得る。
【０１９２】
このとき、アンテナポートｐを介して送信される一つのＮＰＤＳＣＨの送信ブロックを構成する複素数（ｃｏｍｐｌｅｘ−ｖａｌｕｅｄ）のシンボルがｙ（ｐ）（０）、…、ｙ（ｐ）（Ｍａｐｓｙｍｂ−１）である場合、該当シンボルはｙ（ｐ）（０）から始めて昇順の順序でスロット内ＲＥにマッピングされる。具体的な方法は、下記の順序に従うことができる。
【０１９３】
（１）複素数（ｃｏｍｐｌｅｘ−ｖａｌｕｅｄ）のシンボルが一つのスロットの最後のＲＥまでマッピングが完了すると、次の複素数（ｃｏｍｐｌｅｘ−ｖａｌｕｅｄ）のシンボルをマッピングする前に、該当スロットはｍｉｎ（ＭＮＰＤＳＣＨｒｅｐ、Ｒｍ）−１個の追加のスロットに繰り返され得る。
【０１９４】
（２）前記（１）の過程が完了した以降、まだマッピングが行われない複素数（ｃｏｍｐｌｅｘ−ｖａｌｕｅｄ）のシンボルが存在する場合、残った複素数（ｃｏｍｐｌｅｘ−ｖａｌｕｅｄ）のシンボルは、昇順の順序で（１）の過程を行う。
【０１９５】
（３）前記（１）、（２）の過程は、送信されるＮＰＤＳＣＨのスロットが計Ｎｓｌｏｔ  ＊  ＭＮＰＤＳＣＨｒｅｐのスロットになるまで繰り返される。
【０１９６】
図１１Ａは、送信ブロックがスロット単位で繰り返される例を示した例示図であり、図１１Ｂは、アップリンク−ダウンリンクの設定＃１が適用され、ＤｗＰＴＳの領域が一つのスロットに使用されることができる場合、実際に各スロットが時間軸に割り当てられる構造の例を示した例示図である。
【０１９７】
図１１Ａに示された例は、ＮＰＤＳＣＨの送信ブロックが４個のスロットで構成され、Ｒｍ＝４、ＭＮＰＤＳＣＨｒｅｐ＝８である場合、Ｉ−３−１で説明される案に沿って送信ブロックがスロット単位で繰り返される例を示す。
【０１９８】
Ｄ．各スロットには、互いに異なるインターリービングのパターンが適用され得る。
【０１９９】
ここで、インターリービングのパターンは、ＯＦＤＭシンボル単位で決められてもよい。
【０２００】
或いは、前記インターリービングのパターンは、複素数のシンボル単位で決めてもよい。
【０２０１】
前記インターリービングのパターンは、ＮＰＤＳＣＨの送信が始まるときに初期化され得るものであり、インターリービングのパターンは、スロット毎に変更し得る。
【０２０２】
前記方法で同じ複素数のシンボルを含んでいるスロットが、ｍｉｎ（ＭＮＰＤＳＣＨｒｅｐ、Ｒｍ）の大きさで連続された繰り返しが適用される場合、この条件を満たす連続されたスロットの間では、同じインターリービングのパターンが使用され得る。
【０２０３】
このとき、インターリービングのパターンはＮＰＤＳＣＨの送信が始まるときに初期化され得るものであり、インターリービングのパターンが変更される位置は、新たなインターリービングのパターンが適用された以降、ｍｉｎ（ＭＮＰＤＳＣＨｒｅｐ、Ｒｍ）＊Ｎｓｌｏｔの大きさのスロットが送信された以降に出現するスロットに決めてもよい。
【０２０４】
Ｉ−３−１でＮＰＤＳＣＨの送信に使用するＲＥを決定する基準は連続されたスロット間でコヒーレント（ｃｏｈｅｒｅｎｔ）結合が容易に行われるようにするためであり得る。
【０２０５】
Ｉ−３−１で繰り返しの規則がスロット単位で適用される構造は、連続されたスロットでコヒーレント（ｃｏｈｅｒｅｎｔ）結合の利得を高めるための目的であり得る。もし、ＮＢ−ＩｏＴ  ＦＤＤの構造で定義されたサブフレーム単位の繰り返し規則がＴＤＤで使用される場合、連続されたＤＬサブフレームの個数の制約でコヒーレント（ｃｏｈｅｒｅｎｔ）結合を取ることができるサブフレームの個数が制限され得る。
【０２０６】
Ｉ−３−１で各スロットに互いに異なるインターリービングを適用する目的は、繰り返しが考慮されるとき、ＣＲＳやＮＲＳ、又はスロットの特徴的な構造によってパンクチャリングされるＲＥが繰り返される現象を防止するための目的であり得る。
【０２０７】
Ｉ−３−１で各スロットにインターリービングのパターンが考慮されるとき、同じ複素数のシンボルを含んでいるスロットがｍｉｎ（ＭＮＰＤＳＣＨｒｅｐ、Ｒｍ）−１の大きさで連続されて繰り返されたスロット間で同じインターリービングのパターンを適用する理由は、コヒーレント（ｃｏｈｅｒｅｎｔ）結合を容易にするための目的であり得る。
【０２０８】
Ｉ−３−２．ＴＤＤでＮＰＤＳＣＨの最小の送信単位は、仮想（ｖｉｒｔｕａｌ）のサブフレームで定義する。このとき、一つのＮＰＤＳＣＨの送信ブロックは、ＮＳＦ個のサブフレームにマッピングされてもよく、ＭＮＰＤＳＣＨｒｅｐ回繰り返し送信されてもよい。
【０２０９】
Ａ．Ｉ−３−２の案で動作モードがインバンド（ｉｎ−ｂａｎｄ）である場合、仮想（ｖｉｒｔｕａｌ）のサブフレームは、一つの短い（ｓｈｏｒｔ）スロットと一つの長い（ｌｏｎｇ）スロットの束を意味する。
【０２１０】
このとき、短い（ｓｈｏｒｔ）スロットは、スロット内で使用可能なＯＦＤＭシンボルの個数が６以下であるスロットを意味する。例えば、スペシャルサブフレームではなく、ＤＬサブフレームでＬＴＥのシステムの場合、制御チャネルの用途に使用するために予約したシンボルの大きさであるＣＦＩ＞１であるとき、第１番目のスロットはＣＦＩの大きさだけのシンボルをＮＰＤＳＣＨの目的で使用できず、この場合、短い（ｓｈｏｒｔ）スロットで定義する。
【０２１１】
このとき、長い（ｌｏｎｇ）スロットは、スロット内に使用可能なＯＦＤＭシンボルの個数が７個であるスロットを意味する。例えば、スペシャルサブフレームではなく、ＤＬサブフレームでＬＴＥシステムの場合、第２番目のスロットの場合、７個のシンボルを全て使用できるので、この場合、長い（ｌｏｎｇ）スロットで定義する。
【０２１２】
スペシャルサブフレームにおけるＤｗＰＴＳの領域がダウンリンク物理チャネルの目的のスロットに使用可能な場合、該当スロットは状況に応じて長い（ｌｏｎｇ）スロットと短い（ｓｈｏｒｔ）スロットの何れかを選択するように決めてもよい。
【０２１３】
スペシャルサブフレームのＤｗＰＴＳの領域に構成されたスロットは、一緒に仮想のサブフレームを構成する異なるスロットが短い（ｓｈｏｒｔ）スロットである場合、長い（ｌｏｎｇ）スロットの構造を有するように決めてもよい。
【０２１４】
スペシャルサブフレームにおけるＤｗＰＴＳの領域に構成されたスロットは、一緒に仮想のサブフレームを構成する異なるスロットが長い（ｌｏｎｇ）スロットである場合、短い（ｓｈｏｒｔ）スロットの構造を有するように決めてもよい。
【０２１５】
もし、ＤｗＰＴＳの領域が長い（ｌｏｎｇ）スロットに使用される場合、長い（ｌｏｎｇ）スロットは、スペシャルサブフレーム内で第２番目のＯＦＤＭシンボルから第９番目のＯＦＤＭシンボルまでの領域に決めてもよい。
【０２１６】
もし、ＤｗＰＴＳの領域が短い（ｓｈｏｒｔ）スロットに使用される場合、長い（ｌｏｎｇ）スロットはスペシャルサブフレーム内でｓ番目のＯＦＤＭシンボルから９番目のＯＦＤＭシンボルまでの領域に決めてもよい。
【０２１７】
このとき、ｓは、スペシャルサブフレームではなく、ＤＬサブフレームの領域でＣＦＩの大きさによって決定され得る。例えば、ＣＦＩ＝ａである場合、ｓ＝ａ＋１の値を有するように決めてもよい。
【０２１８】
図１２は、Ｉ−３−２の案に沿ってスペシャルサブフレーム内での長い（ｌｏｎｇ）スロットと短い（ｓｈｏｒｔ）スロットが構成される例を示す。
【０２１９】
Ｂ．Ｉ−３−２の案で動作モードが保護バンド（ｇｕａｒｄ−ｂａｎｄ）又はスタンドアローン（ｓｔａｎｄ−ａｌｏｎｅ）である場合、仮想のサブフレームは、二つの長い（ｌｏｎｇ）スロットの束を意味する。
【０２２０】
このとき、長い（ｌｏｎｇ）スロットは、スロット内に使用可能なＯＦＤＭシンボルの個数が７個であるスロットを意味する。例えば、スペシャルサブフレームではなく、ＤＬサブフレームでＬＴＥシステムの場合、第２番目のスロットの場合、７個のシンボルを全て使用できるので、この場合、長い（ｌｏｎｇ）スロットで定義する。
【０２２１】
スペシャルサブフレームのＤｗＰＴＳの領域がダウンリンク物理チャネルの目的のスロットに使用可能な場合、該当スロットは常に長い（ｌｏｎｇ）スロットの構造を有する。
【０２２２】
Ｃ．Ｉ−３−２の案でＮＰＤＳＣＨの送信に使用するＲＥは、スペシャルサブフレームではなく、ダウンリンクサブフレームでそれぞれ短い（ｓｈｏｒｔ）スロットと長い（ｌｏｎｇ）スロットを基準にＣＲＳとＮＲＳの目的で使用されないＲＥに決めてもよい。
【０２２３】
このとき、もし、特定のスロットで前記の基準にＮＰＤＳＣＨの送信に使用可能なように決められたＲＥが使用できない場合、該当ＲＥはパンクチャリングするように決めてもよい。
【０２２４】
このとき、もし、特定のスロットで前記の基準にＮＰＤＳＣＨの送信に使用できないように決められたＲＥがＣＲＳやＮＲＳの目的で使用されなくても、該当ＲＥはＮＰＤＳＣＨの送信に使用しないように決めてもよい。
【０２２５】
図１３は、Ｉ−３−２の案に沿って使用可能なＲＥの位置の例を示す。
【０２２６】
図１３に示された例において、周波数ドメイン上の位置はセルＩＤの値に応じて変わり得る。また、示された例は、インバンド（ｉｎ−ｂａｎｄ）の動作モードの場合を仮定しており、保護バンド（ｇｕａｒｄ−ｂａｎｄ）又はスタンドアローン（ｓｔａｎｄ−ａｌｏｎｅ）の場合、ＣＲＳの位置はＮＰＤＳＣＨの目的で使用され得る。
【０２２７】
Ｄ．Ｉ−３−２の案で仮想のサブフレームを構成する二つのスロットは、ＬＴＥで定義されている一つのサブフレームの境界内に存在しないことがある。
【０２２８】
このとき、仮想のサブフレームの構成は、ダウンリンク物理チャネルの目的で使用可能なスロットのうち、順番に連続している二つのスロットを用いることができる。
【０２２９】
図１４Ａは、Ｉ−３−２の案に沿って、短い（ｓｈｏｒｔ）スロットと長い（ｌｏｎｇ）スロットとが区分される状況で、仮想のサブフレームを構成する例を示し、図１４Ｂは長い（ｌｏｎｇ）スロットの構造のみが考慮される状況で、仮想のサブフレームを構成する例を示す。
【０２３０】
Ｅ．Ｉ−３−２の案で、もしスロットが短い（ｓｈｏｒｔ）スロットと長い（ｌｏｎｇ）スロットとに区分されている場合、仮想のサブフレームの構成の形態は短い（ｓｈｏｒｔ）スロット以降、長い（ｌｏｎｇ）スロットの順序（以下、仮想のサブフレームのタイプＡで定義する。）、又は長い（ｌｏｎｇ）スロット以降、短い（ｓｈｏｒｔ）スロットの順序（以下、仮想のサブフレームのタイプＢで定義する）をいずれも支援し得る。
【０２３１】
仮想のサブフレームのタイプＡと仮想のサブフレームのタイプＢは、互いに異なるインターリービングのパターンが適用され得る。
【０２３２】
このとき、インターリービングのパターンは、ＯＦＤＭシンボルを基準にインターリービングが行われ得る。
【０２３３】
このとき、インターリービングのパターンは、複素数のシンボルを基準にインターリービングが行われ得る。
【０２３４】
前記インターリービングのパターンは次のような基準で決められ得る。
【０２３５】
繰り返しが適用され、同じ複素数のシンボルをマッピングする二つ以上の互いに異なるサブフレームが存在し、これらの間に仮想のサブフレームのタイプが異なる場合が存在する場合、全ての複素数のシンボルは全ての仮想のサブフレーム内で同じ周波数ドメインインデックスを有することができなければならない。
【０２３６】
Ｉ−３−２の案で仮想のサブフレームの構造を考慮する目的は、スペシャルサブフレームにおけるＤｗＰＴＳの領域が一つのスロットで構成される場合、使用可能な全てのスロットをサブフレーム単位で構成するための目的であり得る。
【０２３７】
Ｉ−３−２の案で、スペシャルサブフレームにおけるＤｗＰＴＳの領域を短い（ｓｈｏｒｔ）スロットに使用する場合、使用されるシンボルのインデックスを選択する方法は、スペシャルサブフレームではなく、ＤＬサブフレームで使用される短い（ｓｈｏｒｔ）スロットの構造と使用するＲＥの位置を同様に有するための目的であり得る。
【０２３８】
Ｉ−３−２の案で、仮想のサブフレームのタイプＡと仮想のサブフレームのタイプＢのインターリービングのパターンを互いに異なって有する目的は、コヒーレント（ｃｏｈｅｒｅｎｔ）結合の適用を容易にするための目的であり得る。
【０２３９】
Ｉ−３−３．ＴＤＤでＮＰＤＳＣＨの最小の送信単位は、サブフレームで定義する。このとき、一つのＮＰＤＳＣＨの送信ブロックは、ＮＳＦ個のサブフレームにマッピングされてもよく、
0006949979.tif 000013
繰り返し送信されてもよい。
【０２４０】
Ａ．Ｉ−３−３の案を行う具体的な方法は、下記の説明のうち一つ以上の方法が組み合わされて使用され得る。
【０２４１】
Ｉ−３−３の案が使用され、ＮＰＤＳＣＨの送信ブロックの繰り返しがＭＮＰＤＳＣＨｒｅｐ＝１である場合、ＤｗＰＴＳの領域内でＲＥのマッピングはＤＬデータの目的で利用可能なＲＥの個数を考慮し、レートマッチングが行われ得る。
【０２４２】
Ｂ．Ｉ−３−３の方法が使用され、ＮＰＤＳＣＨの送信ブロックの繰り返しがＭＮＰＤＳＣＨｒｅｐ  ＞  １である場合、
【０２４３】
ＤｗＰＴＳの領域内でＲＥのマッピングは一般のＤＬサブフレームを基準にマッピングを仮定し、ＧＰやＵｐＰＴＳの目的で指定され、利用不可能なＯＦＤＭシンボルをパンクチャリングする構造を使用することができる。
【０２４４】
もし、ＤＬサブフレームの領域でＬＴＥ制御チャネルの目的で予約されたシンボルの位置がＤｗＰＴＳの領域内でデータシンボルの目的で使用可能な場合（例えば、スペシャルサブフレームでのＣＦＩ値がＤＬサブフレームでのＣＦＩ値よりも小さい場合）、該当位置にはＧＰやＵｐＰＴＳの目的のためにパンクチャリングされたＯＦＤＭシンボルのうち一つのＲＥのマッピングが行われ得る。
【０２４５】
図１５は、ＮＰＤＳＣＨの送信に繰り返しが適用された場合、ＤｗＰＴＳの領域でＲＥのマッピングを行うとき、ＧＰやＵｐＰＴＳの目的のために一部のＯＦＤＭシンボルをパンクチャリングし、パンクチャリングされたシンボルをＤＬサブフレームで使用されないが、ＤｗＰＴＳ内で使用されるＯＦＤＭシンボルの位置にマッピングする案の例を示す。
【０２４６】
Ｃ．Ｉ−３−３で説明された案は、ＮＰＤＳＣＨの送信ブロックの繰り返し条件に関係なく動作することもある。
【０２４７】
Ｄ．Ｉ−３−３で説明された案が使用され、ＤｗＰＴＳ内ＮＲＳのマッピング方法が一般のＤＬサブフレームのＮＲＳのマッピング方法と異なる場合、
【０２４８】
一般のＤＬサブフレームとシンボルレベル結合が可能なようにＲＥのマッピング前にインターリービングを行い得る。
【０２４９】
このとき、インターリービングのパターンは、参照信号（ｒｅｆｅｒｅｎｃｅ  ｓｉｇｎａｌ）に使用されるポートの個数に応じて異なって適用され得る。例えば、ＮＲＳポートの数が１である場合と２である場合、インターリービングのパターンを定義する表は互いに異なり得る。
【０２５０】
このとき、インターリービングのパターンは特定の条件に応じて変わり得る。
【０２５１】
−  前記特定の条件は動作モードであり得る。これは、動作モードがインバンドである場合、ＣＦＩによってＮＢ−ＩｏＴ端末が使用できないシンボルが存在するのに対して、動作モードが保護帯域（ｇｕａｒｄｂａｎｄ）とスタンドアローン（ｓｔａｎｄ−ａｌｏｎｅ）の場合、全てのＤｗＰＴＳの領域が使用可能であるためであり得る。
【０２５２】
−  前記特定の条件はスペシャルサブフレームの設定インデックスであり得る。これは、ＤｗＰＴＳの使用可能な領域に応じてインターリービングが適用可能なシンボルの特徴と個数が互いに異なるためであり得る。
【０２５３】
−  前記特定の条件は、ＤＬサブフレームとＤｗＰＴＳの領域のＣＦＩ値であり得る。これは、二つの領域のＣＦＩの組み合わせによってインターリービングに使用可能なシンボルの特徴と個数が互いに異なるためであり得る。
【０２５４】
−  前記特定の条件は、ＤｗＰＴＳで使用されるＮＲＳのパターンであり得る。これは、ＤｗＰＴＳの大きさに応じて最適化されたＮＲＳの位置が異なってもよく、これによって、インターリービングに使用可能なシンボルの特徴と個数が互いに異なるためであり得る。具体的な例を挙げると、ＤｗＰＴＳ内にＮＲＳの位置が各スロットで第２番目、第３番目のスロットに位置し、ｙ（１）からｙ（ｍ）までの複素数のシンボルがＤｗＰＴＳ内ＲＥにマッピングされる場合を考慮し得る。もし、ＤＬサブフレームでｙ（ｉ）がｉを基準に昇順にＲＥのマッピング順序が決められる場合、ＤｗＰＴＳ内ではｙ（ｉ）がｉを基準に降順にＲＥのマッピングが行われ得る。
【０２５５】
或いは、同じ効果を得るための他の案として、ＤｗＰＴＳ内ＮＲＳとデータシンボルのＲＥのマッピング方式を一般のＤＬサブフレームと同じ方法で行った後、これをＤｗＰＴＳ内ＮＲＳのパターンに合う構造にするためのＯＦＤＭシンボルの単位のインターリービングが適用された形態で行われ得る。
【０２５６】
インターリービングのパターンを決める基準は、各ＯＦＤＭシンボルに含まれた参照信号の種類と位置を優先して決めてもよい。例えば、ＤＬサブフレームでＣＲＳを含むＯＦＤＭシンボルは、ＤｗＰＴＳ内でＣＲＳを含むＯＦＤＭシンボルのインデックスに対応し、ＤＬサブフレームでＮＲＳを含むＯＦＤＭシンボルは、ＤｗＰＴＳ内でＮＲＳを含むＯＦＤＭシンボルのインデックスに対応するようにインターリービングのパターンを決めてもよい。このとき、もし、同じ参照信号であっても、周波数ドメイン上で位置が互いに異なる場合には、同じ周波数ドメインの位置を有するＯＦＤＭシンボル同士に対応するようにインターリービングのパターンを決める。
【０２５７】
このとき、ＤｗＰＴＳ内で利用可能なシンボルの個数が一般のＤＬサブフレームに比べて不足する場合、一部のＯＦＤＭシンボルはパンクチャリングされ得る。
【０２５８】
このとき、ＤＬサブフレームでデータ送信の目的で使用されたＲＥの位置が、ＤｗＰＴＳの領域でインターリービングによって指定された位置ではＲＳ送信の目的で予約されている場合、該当ＲＥはＲＳ送信のために使用され、該当ＲＥの位置のデータはパンクチャリングされ得る。
【０２５９】
このとき、インターリービングのパターンは、特定の条件に応じて変わり得る。
【０２６０】
−  前記特定の条件は動作モードであり得る。動作モードがインバンド（ｉｎｂａｎｄ）である場合、ＣＦＩによってＮＢ−ＩｏＴ端末が使用することができないシンボルが存在し得る。しかし、動作モードが保護帯域（ｇｕａｒｄｂａｎｄ）とスタンドアローン（ｓｔａｎｄａｌｏｎｅ）の場合、全てのＤｗＰＴＳの領域が使用可能なためであり得る。
【０２６１】
−  前記特定の条件は、スペシャルサブフレームの設定のインデックスであり得る。これは、ＤｗＰＴＳの使用可能な領域に応じてインターリービングが適用可能なシンボルの特徴と個数が互いに異なるためであり得る。
【０２６２】
−  前記特定の条件は、ＤＬサブフレームとＤｗＰＴＳの領域のＣＦＩ値であり得る。これは、二つの領域のＣＦＩの組み合わせに応じて、インターリービングに使用可能なシンボルの特徴と個数が互いに異なるためであり得る。
【０２６３】
−  前記特定の条件は、ＤｗＰＴＳで使用されるＮＲＳのパターンであり得る。これは、ＤｗＰＴＳの大きさに応じて最適化されたＮＲＳの位置が異なることがあり、これによって、インターリービングに使用可能なシンボルの特徴と個数が互いに異なるためであり得る。
【０２６４】
例えば、ＲＥのマッピング過程でｑ番目のインデックスを有しているＯＦＤＭシンボルがＯＦＤＭベースバンド（ｂａｓｅｂａｎｄ）信号生成の観点から、ｑ’番目のインデックスのＯＦＤＭシンボルでインターリービングされる場合、可能なインターリービングのパターンは下記の表のような形態であり得る。
【０２６５】
下記の表９は、ＤｗＰＴＳ内におけるＮＲＳの位置が＃２、＃３、＃９、及び／又は＃１０が使用される場合、インターリービングのパターンを表す。
【０２６６】
【表９】
0006949979.tif 000014
【０２６７】
下記の表は、ＤｗＰＴＳ内におけるＮＲＳの位置が＃５、＃６、＃９、及び／又は＃１０が使用される場合に、インターリービングのパターンを表す。
【０２６８】
【表１０】
0006949979.tif 000015
【０２６９】
下記の表は、ＤｗＰＴＳ内におけるＮＲＳの位置が＃２、＃３、＃５、及び／又は＃６が使用される場合に、インターリービングのパターンを表す。
【０２７０】
【表１１】
0006949979.tif 000016
【０２７１】
図１６Ａ及び図１６Ｂは、ＤｗＰＴＳの領域で参照信号の種類及び位置を考慮したＯＦＤＭシンボルレベルのインターリービングが適用される場合の例を示す。
【０２７２】
Ｉ−３−３の案で繰り返しが１である場合、ＲＥのマッピング方法はパンクチャリングによって失われる情報を最小化するための目的であり得る。
【０２７３】
Ｉ−３−３の案で繰り返しが１よりも大きい場合、ＲＥのマッピング方法は、低い複雑度（ｌｏｗ  ｃｏｍｐｌｅｘｉｔｙ）、低コスト（ｌｏｗ  ｃｏｓｔ）のＵＥの条件を考慮したとき、シンボルレベル結合を介した利得を得るための目的であり得る。また、パンクチャリングによって漏れる情報を最小化するための目的であり得る。
【０２７４】
Ｉ−３−３の案が繰り返しの大きさと関係なく、一つのＲＥのマッピング方式で統一される場合、これは、ＵＥがＲＥのマッピングを解釈する方式を統一してデコーディングの複雑度を減らすための目的であり得る。
【０２７５】
図１７Ａ及び図１７Ｂは動作モードがインバンドである場合に、Ｉ−３−３の案を使用し、ＤｗＰＴＳのインターリービングのパターンに応じて、ＯＦＤＭシンボルレベルのインターリービングを行う例を示し、図１８Ａ及び図１８Ｂは動作モードがスタンドアローン又は保護帯域である場合に、Ｉ−３−３の案を使用し、ＤｗＰＴＳのインターリービングのパターンに応じてＯＦＤＭシンボルレベルのインターリービングを行う例を示す。
【０２７６】
示された例のように、ＮＲＳの位置とＤｗＰＴＳの長さ、動作モードに応じてインターリービングのパターンは互いに異なり得る。
【０２７７】
Ｉ−３−３−Ａ．もし、ＮＰＤＳＣＨの送信に繰り返しが適用され、繰り返しが適用される区間に一般のＤＬサブフレームとＤｗＰＴＳが含まれる場合、ＤｗＰＴＳにデータをマッピングする方式は、互いに異なるＤｗＰＴＳ間で異なり得る。
【０２７８】
前記で説明したＩ−３−３で提案された方法のように、ＤｗＰＴＳの送信が一般のＤＬサブフレームに送信されたＲＥ（又はシンボル）が繰り返される形態で存在する場合、ＤｗＰＴＳにデータがマッピングされる構造は、互いに異なるＤｗＰＴＳ間で異なり得るように決める案を提案する。前記Ｉ−３−３の案で提案されたように、シンボルレベルのインターリービングを介してデータがマッピングされる場合、シンボルレベルのインターリービングが適用されるインターリービングのパターンがＤｗＰＴＳ毎に異なるように決めてもよい。具体的に、例えば、インターリービングのパターンは、（１）ＤｗＰＴＳの出現順序によって決定されるか、（２）繰り返しが進まれた長さによって決定されるか、（３）又は無線フレーム内スペシャルサブフレームの出現順序等が使用され得る。
【０２７９】
提案するＩ−３−３−ａの案を適用するための具体的な例として、もしｎ番目の順序のＤｗＰＴＳに繰り返されたＤＬサブフレームのシンボルのインデックスが＃ａ、＃ａ＋１、…、＃ａ＋ＮＳである場合、次のｎ＋１番目の順序のＤｗＰＴＳに繰り返されたＤＬサブフレームのシンボルのインデックスは、＃ａ＋ｂ、＃ａ＋ｂ＋１、…、＃［（ＮＳ＋ａ＋ｂ）ｍｏｄ  ＮＤ］になり得る。このとき、ＮｓはＤｗＰＴＳ内に利用可能なシンボルの個数を意味し、ＮＤはＤＬサブフレームで使用されるシンボルの個数を意味し、ａは任意のシンボルのインデックスを意味する。このとき、ｂはＤｗＰＴＳ間のインターリービングのパターンを変えるための定数値である。
【０２８０】
Ｉ−３−４．ＤｗＰＴＳにおけるＮＲＳのパターンは、動作モードに応じて変わり得る。
【０２８１】
下記の説明のうち一つ以上の案を組み合わせて使用し得る。
【０２８２】
Ａ．動作モードが保護バンド（ｇｕａｒｄ−ｂａｎｄ）又はスタンドアローンモードである場合、ＮＲＳが送信される周波数ドメイン上の位置を決定する周波数のシフト値は、一般のＤＬサブフレームと同じ方法が適用されて決定され得る。
【０２８３】
このとき、ＤｗＰＴＳにデータの送信は一般のＤＬサブフレームのデータ領域のＲＥが繰り返され、具体的な方法は下記の通りであり得る。
【０２８４】
一般のＤＬサブフレームでの一部のＯＦＤＭシンボルがパンクチャリングされる。このとき、パンクチャリングされるシンボルのインデックスはＤｗＰＴＳの大きさ、ＮＲＳの位置、又はスペシャルサブフレームの設定のインデックスに応じて決定されてもよい。
【０２８５】
Ａ−１．ＮＲＳが各スロット内の第３番目及び第４番目のＯＦＤＭシンボルに位置する場合、又はスペシャルサブフレームの設定＃３、＃４、＃８である場合、又はＤｗＰＴＳの領域のＯＦＤＭシンボルの個数が１１個、１２個である場合、パンクチャリングされるＯＦＤＭシンボルのインデックスは、第１番目のスロットの第１番目、第２番目、第３番目のＯＦＤＭシンボルが含まれ得る。
【０２８６】
図１９は、Ｉ−３−４で提示されるＡ−１の案の例を示す。
【０２８７】
もし、ＤｗＰＴＳの大きさが１１である場合、前記３個のＯＦＤＭシンボルはいずれもパンクチャリングされる。パンクチャリングされない残りのＯＦＤＭシンボルは、ＤｗＰＴＳの領域でＧＰとＵｐＰＴＳの目的で使用されないＯＦＤＭシンボルに順次にマッピングが行われる。
【０２８８】
もし、ＤｗＰＴＳの大きさが１２である場合、前記３個のＯＦＤＭシンボルのうち２つのみがパンクチャリングされ得る。パンクチャリングされない残りのＯＦＤＭシンボルのうち、第１番目のスロットの第４番目乃至第７番目のＯＦＤＭシンボルと、第２番目のスロットの第１番目乃至第７番目のＯＦＤＭシンボルは、ＤｗＰＴＳの領域でＧＰとＵｐＰＴＳの目的で使用されないＯＦＤＭシンボルに順次にマッピングが行われる。このとき、ＤｗＰＴＳの第２番目のスロットの第５番目のＯＦＤＭシンボルの位置には一般のＤＬサブフレームの第１番目乃至第３番目のＯＦＤＭシンボルのうち、パンクチャリングされない一つのＯＦＤＭシンボルがマッピングされる。
【０２８９】
前記提案するパンクチャリングされるシンボルの位置は異なってもよく、ＤｗＰＴＳの位置毎に互いに異なるように決めてもよい。
【０２９０】
Ａ−２．ＮＲＳが第１番目のスロット内の第３番目及び第４番目のＯＦＤＭシンボルに位置する場合、又はスペシャルサブフレームの設定＃９、＃１０である場合、又はＤｗＰＴＳの領域のＯＦＤＭシンボルの個数が６個である場合、パンクチャリングされるＯＦＤＭシンボルのインデックスは第１番目のスロットの第１番目、第２番目、第３番目のＯＦＤＭシンボルと第２番目のスロットの第３番目乃至第７番目のＯＦＤＭシンボルが含まれ得る。
【０２９１】
図２０は、Ｉ−３−４で提示されるＡ−２の案の例を示す。
【０２９２】
パンクチャリングされない残りのＯＦＤＭシンボルは、ＤｗＰＴＳの領域でＧＰとＵｐＰＴＳの目的で使用されないＯＦＤＭシンボルに順次にマッピングが行われる。
【０２９３】
前記提案するパンクチャリングされるシンボルの位置は異なってもよく、ＤｗＰＴＳの位置毎に互いに異なるように決めてもよい。
【０２９４】
Ａ−３．ＮＲＳが第１番目のスロット内の第６番目及び第７番目のＯＦＤＭシンボルに位置する場合、又はスペシャルサブフレームの設定＃１、＃２、＃６、＃７である場合、又はＤｗＰＴＳの領域のＯＦＤＭシンボルの個数が９、１０個である場合、パンクチャリングされるＯＦＤＭシンボルのインデックスは第２番目のスロットの第３番目乃至第７番目のＯＦＤＭシンボルが含まれ得る。
【０２９５】
図２１は、Ｉ−３−４で提示されるＡ−３の案の例を示す。
【０２９６】
もし、ＤｗＰＴＳの大きさが９である場合、パンクチャリングされるＯＦＤＭシンボルのインデックスは、第２番目のスロットの第３番目乃至第７番目のＯＦＤＭシンボルになるように決めてもよく、パンクチャリングされない残りのＯＦＤＭシンボルはＤｗＰＴＳの領域でＧＰとＵｐＰＴＳの目的で使用されないＯＦＤＭシンボルに順次にマッピングが行われる。
【０２９７】
もし、ＤｗＰＴＳの大きさが１０である場合、パンクチャリングされるＯＦＤＭシンボルのインデックスは第２番目のスロットの第４番目乃至第７番目のＯＦＤＭシンボルになるように決めてもよく、パンクチャリングされない残りのＯＦＤＭシンボルはＤｗＰＴＳの領域でＧＰとＵｐＰＴＳの目的で使用されないＯＦＤＭシンボルに順次にマッピングが行われる。
【０２９８】
前記提案するパンクチャリングされるシンボルの位置は異なってもよく、ＤｗＰＴＳの位置毎に互いに異なるように決めてもよい。
【０２９９】
Ｂ．Ｉ−３−４で動作モードがインバンド（ｉｎ−ｂａｎｄ）である場合、ＮＲＳが送信される周波数ドメイン上の位置を決定する周波数のシフト値とマッピングされる方法は、ＮＲＳが送信されるシンボルのインデックス、又はスペシャルサブフレーム設定のインデックスに応じて決定され得る。
【０３００】
ＮＲＳが各スロット内の第３番目及び第４番目のＯＦＤＭシンボルに位置する場合、又はスペシャルサブフレームの設定＃３、＃４、＃８である場合、又はＤｗＰＴＳの領域のＯＦＤＭシンボルの個数が１１個、１２個である場合、ＮＲＳがマッピングされるＲＥの位置は、下記のような基準で決定され得る。
【０３０１】
図２２は、数式３に沿って、ＤｗＰＴＳにＮＲＳをマッピングした場合の例を示す。
【０３０２】
【数３】
0006949979.tif 000017
【０３０３】
前記のようなＮＲＳのマッピング方式が使用される場合、一般のＤＬサブフレームのデータ領域のＲＥがＤｗＰＴＳに繰り返され、具体的な方法は下記の通りであり得る。
【０３０４】
図２３Ａ乃至図２３Ｃは、一般のＤＬサブフレームのデータ領域のＲＥのＤｗＰＴＳに繰り返される第１の例を示す。
【０３０５】
一般のＤＬサブフレームにおける一部のＯＦＤＭシンボルがパンクチャリングされる。
【０３０６】
このとき、図２３に示されたように、パンクチャリングされるＯＦＤＭシンボルのインデックスは、第１番目のスロットの第１番目、第２番目のＯＦＤＭシンボルが含まれ得るものであり、これは、ＤＬサブフレームでＮＢ−ＩｏＴのデータの目的で使用されることができないＯＦＤＭシンボルであるため、ＮＢ−ＩｏＴ送信のデータ送信には影響を与えない。
【０３０７】
このとき、パンクチャリングされるＯＦＤＭシンボルのインデックスは、第１番目のスロットの第３番目のＯＦＤＭシンボルが含まれ得るものであり、これは、ＤｗＰＴＳの領域でＬＴＥ制御領域の最小の大きさを考慮するための目的であり得る。
【０３０８】
このとき、パンクチャリングされるＯＦＤＭシンボルのインデックスは第１番目のスロットの第４番目のＯＦＤＭシンボルが含まれ得るものであり、これは、ＤｗＰＴＳの領域でＬＴＥ制御領域の大きさを保証するための目的であり得る。この場合は、ＤｗＰＴＳでＬＴＥ制御領域の大きさが２である場合に限って適用され得る。
【０３０９】
このとき、パンクチャリングされるＯＦＤＭシンボルのインデックスは、第２番目のスロットの第７番目のＯＦＤＭシンボルが含まれ得る。この場合は、ＤｗＰＴＳの大きさが１１である場合に限って適用されると、ＤｗＰＴＳの大きさが１２である場合には適用されない。
【０３１０】
前記提案するパンクチャリングされるシンボルの位置は、ＤｗＰＴＳの位置毎に互いに異なるように決めてもよい。
【０３１１】
パンクチャリングされない残りのＯＦＤＭシンボルは、ＤｗＰＴＳの領域でＬＴＥ制御領域に使用されず、ＧＰとＵｐＰＴＳの目的で使用されないＯＦＤＭシンボルに順次にマッピングが行われる。
【０３１２】
このとき、もし、ＤＬサブフレームでデータの目的で使用されないＲＥが含まれる場合、該当ＲＥはデータが送信されないブランク（ｂｌａｎｋ）ＲＥになる。ブランク（ｂｌａｎｋ）ＲＥは使用されずに空にしたまま送信されるか、又はＮＲＳやＣＳＲのような参照信号が送信されることもある。
【０３１３】
このとき、もし、ＤＬサブフレームではデータの目的で使用されるが、ＤｗＰＴＳでは参照信号の目的で使用されるＲＥの位置では、データをパンクチャリングするように決めてもよい。
【０３１４】
前記提案するＤｗＰＴＳにデータ送信方法は、ＮＲＳのパターンが異なる場合にも適用可能である。
【０３１５】
一方、ＮＲＳが第１番目のスロット内の第３番目及び第４番目のＯＦＤＭシンボルにのみ位置する場合、又はスペシャルサブフレームの設定＃９、＃１０である場合、又はＤｗＰＴＳの領域のＯＦＤＭシンボルの個数が６個である場合、ＮＲＳがマッピングされるＲＥの位置は下記のような基準に決定され得る。
【０３１６】
図２４は、数式４によって、ＤｗＰＴＳにＮＲＳをマッピングした場合の例を示す。
【０３１７】
【数４】
0006949979.tif 000018
【０３１８】
前述したＮＲＳのマッピング方式が使用される場合、ＤｗＰＴＳにデータ送信は一般のＤＬサブフレームのデータ領域のＲＥが繰り返され、具体的な方法は下記の通りであり得る。
【０３１９】
図２５Ａ乃至図２５Ｃは、一般のＤＬサブフレームのデータ領域のＲＥのＤｗＰＴＳに繰り返される第２の例を示す。
【０３２０】
一般のＤＬサブフレームにおける一部のＯＦＤＭシンボルがパンクチャリングされ得る。
【０３２１】
このとき、図２５に示されたように、パンクチャリングされるＯＦＤＭシンボルのインデックスは、第１番目のスロットの第１番目及び第２番目のＯＦＤＭシンボルが含まれ得るものであり、これは、ＤＬサブフレームでＮＢ−ＩｏＴのデータの目的で使用されることができないＯＦＤＭシンボルであるため、ＮＢ−ＩｏＴ送信のデータ送信には影響を与えない。
【０３２２】
このとき、パンクチャリングされるＯＦＤＭシンボルのインデックスは、第１番目のスロットの第３番目のＯＦＤＭシンボルが含まれ得るものであり、これは、ＤｗＰＴＳの領域でＬＴＥ制御領域の最小の大きさを考慮するための目的であり得る。
【０３２３】
このとき、パンクチャリングされるＯＦＤＭシンボルのインデックスは、第１番目のスロットの第４番目のＯＦＤＭシンボルが含まれ得るものであり、これは、ＤｗＰＴＳの領域でＬＴＥ制御領域の大きさを保証するための目的であり得る。この場合は、ＤｗＰＴＳでＬＴＥ制御領域の大きさが２である場合に限って適用され得る。
【０３２４】
このとき、パンクチャリングされるＯＦＤＭシンボルのインデックスは、第２番目のスロットの第２番目乃至第７番目のＯＦＤＭシンボルが含まれ得る。
【０３２５】
前記提案するパンクチャリングされるシンボルの位置は、ＤｗＰＴＳの位置毎に互いに異なるように決めてもよい。
【０３２６】
パンクチャリングされない残りのＯＦＤＭシンボルは、ＤｗＰＴＳの領域でＬＴＥ制御領域に使用されず、ＧＰとＵｐＰＴＳの目的で使用されないＯＦＤＭシンボルに順次にマッピングが行われる。
【０３２７】
このとき、もし、ＤＬサブフレームでデータの目的で使用されないＲＥが含まれる場合、該当ＲＥは、データが送信されないブランク（ｂｌａｎｋ）ＲＥになる。前記ブランクＲＥの位置は使用されずに空にしたまま送信されるか、又はＮＲＳやＣＳＲのような参照信号が追加されて送信されることもある。
【０３２８】
このとき、もし、ＤＬサブフレームではデータの目的で使用されるが、ＤｗＰＴＳでは参照信号の目的で使用されるＲＥの位置ではデータをパンクチャリングし得る。
【０３２９】
前記提案するＤｗＰＴＳにデータ送信方法は、ＮＲＳのパターンが異なる場合にも適用可能である。
【０３３０】
一方、ＮＲＳが第１番目のスロット内の第６番目及び第７番目のＯＦＤＭシンボルにのみ位置する場合、又はスペシャルサブフレームの設定＃１、＃２、＃６、＃７である場合、又はＤｗＰＴＳの領域のＯＦＤＭシンボルの個数が９、１０個である場合、ＮＲＳがマッピングされるＲＥの位置は下記のような基準で決定され得る。
【０３３１】
図２６は、数式５によって、ＤｗＰＴＳにＮＲＳをマッピングした場合の例を示す。
【０３３２】
【数５】
0006949979.tif 000019
【０３３３】
前記のようなＮＲＳのマッピング方式が使用される場合、ＤｗＰＴＳにデータの送信は一般のＤＬサブフレームのデータ領域のＲＥが繰り返され、具体的な方法は下記の通りであり得る。
【０３３４】
図２７Ａ乃至図２７Ｃは、一般のＤＬサブフレームにおけるデータ領域のＲＥのＤｗＰＴＳに繰り返される第３の例を示す。
【０３３５】
一般のＤＬサブフレームにおける一部のＯＦＤＭシンボルがパンクチャリングされる。
【０３３６】
このとき、図２７に示されたように、パンクチャリングされるＯＦＤＭシンボルのインデックスは、第１番目のスロットの第１番目及び第２番目のＯＦＤＭシンボルが含まれ得るものであり、これは、ＤＬサブフレームでＮＢ−ＩｏＴのデータの目的で使用されることができないＯＦＤＭシンボルであるため、ＮＢ−ＩｏＴ送信のデータ送信には影響を与えない。
【０３３７】
このとき、パンクチャリングされるＯＦＤＭシンボルのインデックスは、第１番目のスロットの第３番目のＯＦＤＭシンボルが含まれ得るものであり、これは、一般のＤＬサブフレームのＬＴＥ制御領域の大きさが３である場合に限って適用される。
【０３３８】
このとき、ＤｗＰＴＳで前記二つの条件を除いたＯＦＤＭシンボルがＤＬ送信の目的で使用可能な場合、同じインデックスを有するＤＬサブフレーム内のシンボルはパンクチャリングから除く。
【０３３９】
このとき、もし、一般のＤＬサブフレームのＬＴＥ制御領域の大きさがＣ１であり、ＤｗＰＴＳのＬＴＥ制御領域の大きさがＣ２である場合、前記三つの条件を満たさない残りのＯＦＤＭシンボルのうち、Ｃ１−Ｃ２個のシンボルをＤｗＰＴＳのデータ送信に含む。
【０３４０】
このとき、前記条件を満たさない残りのＯＦＤＭシンボルはいずれもパンクチャリングするように決めてもよい。
【０３４１】
前記提案するパンクチャリングされるシンボルの位置は、ＤｗＰＴＳの位置毎に互いに異なるように決めてもよい。
【０３４２】
パンクチャリングされない残りのＯＦＤＭシンボルは、ＤｗＰＴＳの領域でＬＴＥ制御領域に使用されず、ＧＰとＵｐＰＴＳの目的で使用されないＯＦＤＭシンボルにマッピングが行われる。
【０３４３】
このとき、もし、ＤＬサブフレームでデータの目的で使用されないＲＥが含まれる場合、該当ＲＥはデータが送信されないブランクＲＥになる。ブランクＲＥの位置は使用されずに空にしたまま送信されるか、又はＮＲＳやＣＳＲのような参照信号が追加されて送信されることもある。
【０３４４】
このとき、もし、ＤＬサブフレームではデータの目的で使用されるが、ＤｗＰＴＳでは、参照信号の目的で使用されるＲＥの位置ではデータをパンクチャリングし得る。
【０３４５】
前記提案するＤｗＰＴＳにデータ送信方法は、ＮＲＳのパターンが異なる場合にも適用可能である。
【０３４６】
１−４．ダウンリンク物理チャネルのスケジューリング
【０３４７】
本発明で提案する方法は、ダウンリンク物理チャネルを時間ドメインリソース上でスケジューリングする単位がスロット単位からなることができるように決める方法を含み得る。
【０３４８】
Ｉ−４−１．ＴＤＤでダウンリンク物理チャネルの送信はスロット単位でスケジューリングされ得る。
【０３４９】
具体的に、ＮＰＤＳＣＨをスロット単位でスケジューリングする場合、ＮＰＤＳＣＨをスケジューリングするＮＰＤＣＣＨのＤＣＩ領域には、第１番目のスロットと第２番目のスロットのインデックスを表現する１ビットの情報が含まれ得る。
【０３５０】
前記方式が適用される場合、ＮＰＤＳＣＨの開始タイミングは、ＤＣＩ領域でスケジューリング遅延を指示する情報と、スロットのスケジューリングを指示する情報との組み合わせを通じて計算され得る、例えば、スケジューリングの遅延がｋサブフレームと決められ、第１番目のスロットを使用するように指示された場合、ＮＰＤＳＣＨの送信は、ＮＰＤＣＣＨが送信された最後のサブフレームから２ｋスロット以降にＮＰＤＳＣＨが送信されることを期待することができる。或いは、スケジューリングの遅延がｋサブフレームと決められ、第２番目のスロットを使用するように指示された場合、ＮＰＤＳＣＨの送信は、ＮＰＤＣＣＨが送信された最後のサブフレームから２ｋ＋１スロット以降にＮＰＤＳＣＨが送信されることを期待することができる。
【０３５１】
ＩＩ．第２の開示
【０３５２】
第２の開示は、ＴＤＤの動作を行うＮＢ−ＩｏＴでアップリンク（ＵＬ）、ダウンリンク（ＤＬ）送信のための繰り返しを決定する案を提示する。
【０３５３】
ＮＢ−ＩｏＴ  ＦＤＤ動作では、一つの送信ブロックが一つ以上のサブフレーム上で送信され得る。また、一つの送信ブロックは一回以上繰り返されて送信され得る。以降の説明の便宜のために。送信ブロックは多数個の副送信ブロックを含んでもよく、一つの副送信ブロックは一つのサブフレーム上で送信されてもよい。もし、一つの送信ブロックがＮ個の副送信ブロックに分けられ、Ｒ回繰り返されて送信される場合、送信に使用される全サブフレームの個数は計Ｎ＊Ｒ個になる。このとき、繰り返しは次のような二つの特性を考慮して設計され得る。（１）シンボルレベル結合が容易なように同じ副送信ブロックが連続したサブフレームに繰り返されるように設計される。これは、同じ副送信ブロックであるとしても、時間ドメイン上で遠く離れている場合、シンボルレベル結合の利得がなくなることがあるためである。（２）繰り返される送信ブロックを全て受信する前にデコーディングを早く終えることができる早期デコーディング終了（ｅａｒｌｙ  ｄｅｃｏｄｉｎｇ  ｔｅｒｍｉｎａｔｉｏｎ）が可能なように、同じ副送信ブロックが連続されて繰り返され得る個数が制限される。このような条件を通じて、ＮＢ−ＩｏＴ  ＦＤＤでの繰り返しは次のような方式で定義される。
【０３５４】
ＩＩ−１．ＮＢ−ＩｏＴ  ＦＤＤでの繰り返し方法
【０３５５】
Ｎ個の副送信ブロックで構成された送信ブロックがＲ回繰り返される場合、送信ブロックの各副送信ブロックはＲ１＝ｍｉｎ（Ｒ、４）個の連続されたサブフレームを介して送信される。送信ブロックを構成する各副送信ブロックが第１番目のサブフレームから順次にＲ１回繰り返されて計Ｎ＊Ｒ１個のサブフレームが構成されると、Ｎ＊Ｒ１個のサブフレームをＲ／Ｒ１回繰り返す。前記定数４は、同じサブフレームを最大４回まで連続して送信するために使用される。同じサブフレームがＲ１＝ｍｉｎ（Ｒ、４）回繰り返された以降は他のサブフレームが繰り返し送信され得る。例えば、４個のサブフレームが一つの送信ブロックを構成する場合を仮定しよう。このとき、便宜上、４個のサブフレームをそれぞれａ、ｂ、ｃ、ｄと称する。ＮＰＤＳＣＨの繰り返し回数Ｒｅｐ＝２である場合には、ａ、ａ、ｂ、ｂ、ｃ、ｃ、ｄ、ｄのパターンで送信され得る。また、Ｒｅｐ＝４以上である場合には、ａ、ａ、ａ、ａ、ｂ、ｂ、ｂ、ｂ、ｃ、ｃ、ｃ、ｃ、ｄ、ｄ、ｄ、ｄ、…のパターンで送信され得る。
【０３５６】
本発明で説明する連続的なサブフレームというのは、有効（ｖａｌｉｄ）サブフレームを基準に時間ドメイン上で順番が連続的なサブフレームを意味する。例えば、二つのＤＬの有効なサブフレームの間に一つ以上の有効ではない（ｉｎｖａｌｉｄ）サブフレームが存在するが、他のＤＬの有効なサブフレームが存在しない場合、二つのサブフレームは連続的なサブフレームで定義し得るものであり、これは、ＵＬの場合にも同様に定義され得る。このとき、有効なサブフレームとは、ＵＬの場合、ＮＰＵＳＣＨの目的で使用可能なサブフレームを意味し、ＤＬの場合、ＮＰＤＣＣＨ又はＮＰＤＳＣＨの目的で使用可能なサブフレームを意味する。
【０３５７】
図２８は、ＮＢ−ＩｏＴ  ＦＤＤで繰り返しが適用される方法の例を示す。
【０３５８】
図２８では、送信ブロックが４個の副送信ブロックで構成されており、Ｒ＞４の大きさの繰り返しが適用された例が示されている。
【０３５９】
ＮＢ−ＩｏＴ  ＦＤＤの場合、ＵＬ又はＤＬ送信がそれぞれ区分された搬送波を介して行われるため、連続的なＵＬ又はＤＬサブフレームが時間ドメイン上で互いに連接又は隣接した構造を有しており、前記説明された繰り返し方法が使用される場合、シンボルレベル結合の効果を得るのに適合であり得る。反面、ＴＤＤの構造では、ＦＤＤで定義された繰り返し方法がシンボルレベル結合を行うのに適合しないことがある。
【０３６０】
図２９は、ＴＤＤのＵＬ／ＤＬの設定を示す。
【０３６１】
これは、ＴＤＤの場合、ＵＬ送信とＤＬ送信が同じ搬送波で行われるため、（１）連続的なＵＬ又はＤＬサブフレームが時間ドメイン上で連接できる個数がＵＬ／ＤＬの設定に応じて制限され得るものであり、（２）連続的なＵＬ又はＤＬサブフレームが時間ドメイン上で遠く離れる場合がＦＤＤに比べて相対的によく発生し、シンボルレベル結合を行うのに適合しないことがあるためである。
【０３６２】
このような問題点を解決するために、本節では、ＮＢ−ＩｏＴ  ＴＤＤの状況で送信ブロックの繰り返しが行われる場合、ＴＤＤの構造を考慮した繰り返し案を提案する。本節で提案する方法は、具体的にＮＢ−ＩｏＴ  ＴＤＤの状況を考慮して記述されているが、一つ以上のシンボルが構成する送信単位が時間ドメイン上で繰り返されて送信され、シンボルレベル結合と早期デコーディング終了が考慮される他の通信システムにも一般に適用され得ることは自明である。また、本節では、説明の便宜のために、副送信ブロックの単位を一つのサブフレームと仮定して記述されているが、一つ以上のシンボルで構成された送信単位（例えば、スロット又はＮＢ−スロット）を基準に同じ方法が適用可能であることは自明である。下記説明された各案は、いずれも独立に使用してもよいが、二つ以上の案を組み合わせて使用してもよい。
【０３６３】
ＩＩ−１−１．同じ副送信ブロックが繰り返される最大の個数を２に制限する案
【０３６４】
本案では、同じ副送信ブロックが連続的なサブフレームに繰り返され得る最大の個数を２に制限することを提案する。このとき、送信ブロックがＲ回繰り返される状況で、同じ副送信ブロックが連続的なサブフレームに繰り返される数は、Ｒ１＝ｍｉｎ（Ｒ、２）の大きさに決められてもよい。これは、ＴＤＤの構造的限界で４個の連接又は隣接したサブフレームを用いたシンボルレベルの結合が殆どの場合難しいため、早期デコーディング終了の効果を高めるための目的であり得る。反面、同じ副送信ブロックが連続的に２回繰り返されるように許容することは、もし２個の連接又は隣接したＵＬ又はＤＬサブフレームに同じ副送信ブロックが繰り返される場合、ＵＥが２つのサブフレームに対してシンボルレベル結合を可能にするためであり得る。ＮＢ−ＩｏＴ  ＴＤＤで前記案を用いた繰り返し方式は下記のように決めてもよい。
【０３６５】
−  Ｎ個の副送信ブロックで構成された送信ブロックがＲ回繰り返される場合、送信ブロックの各副送信ブロックは、Ｒ１＝ｍｉｎ（Ｒ、２）個の連続されたサブフレームを介して送信される。送信ブロックを構成する各副送信ブロックが第１番目の副送信ブロックから順次にＲ１回繰り返され、計Ｎ＊Ｒ１個のサブフレームが構成されると、Ｎ＊Ｒ１個のサブフレームをＲ／Ｒ１回繰り返す。
【０３６６】
ＩＩ−１−２．ＵＬ／ＤＬの設定に応じて同じ副送信ブロックが繰り返される最大の個数を決定する案
【０３６７】
本案では、同じ副送信ブロックが連続的に繰り返され得る最大の個数をＵＬ／ＤＬの設定に応じて決定されるように提案する。時間ドメイン上に連接して出現するＵＬ又はＤＬサブフレームの個数はＵＬ／ＤＬの設定に応じて互いに異なる値を有する。従って、シンボルレベル結合に好適なサブフレームの大きさはＵＬ／ＤＬの設定に応じて互いに異なり得る。また、早期デコーディング終了を可能にするために、連続された副送信ブロックの数が制限される場合、これを考慮した繰り返し適用方法が必要であり得る。
【０３６８】
各ＵＬ／ＤＬの設定が選択された場合にも、同じ副送信ブロックが連続的に繰り返され得る最大の個数は、ＵＬの場合とＤＬの場合が互いに異なり得る。これは、同じＵＬ／ＤＬの設定である場合にも連接したＵＬサブフレームの個数と連接したＤＬサブフレームの個数が互いに異なることがあるためである。
【０３６９】
前記のような条件を用いて、送信ブロックがＲ回繰り返される状況である場合、同じ副送信ブロックが連続的に配置される個数はＲ１＝ｍｉｎ（Ｒ、Ｒｍａｘｒｅｐ−ｓａｍｅＳＦ）の大きさに決められてもよい。このとき、Ｒｍａｘｒｅｐ−ｓａｍｅＳＦは同じ副送信ブロックが連続的に繰り返され得る最大の大きさを意味し、ＵＬ／ＤＬの設定と送信を行う主体に応じて（ＵＬ又はＤＬ）異なり得る。
【０３７０】
下記の表は、ＵＬ／ＤＬの設定に応じて同じ副送信ブロックが連続的に繰り返され得る最大の個数の一例を示している。
【０３７１】
【表１２】
0006949979.tif 000020
【０３７２】
前記表の例示では、Ｒｍａｘｒｅｐ−ｓａｍｅＳＦの大きさが２ｎ（ｎ＝０、１、２、．．．）の大きさになっている。これは、ＮＢ−ＩｏＴで使用可能な全繰り返しの大きさをＲｍａｘｒｅｐ−ｓａｍｅＳＦに分けた場合、定数になるようにするためであり得る。ＮＢ−ＩｏＴ  ＴＤＤでＩＩ−１−２の案を用いて、Ｒｍａｘｒｅｐ−ｓａｍｅＳＦの大きさが２ｎ（ｎ＝０、１、２、．．．）を満たすとき、繰り返し方式は下記のように決めてもよい。ＩＩ−１−２の案を用いて、Ｒｍａｘｒｅｐ−ｓａｍｅＳＦの大きさが２ｎ（ｎ＝０、１、２、．．．）を満たす場合
【０３７３】
−  Ｎ個の副送信ブロックで構成された送信ブロックがＲ回繰り返される場合、送信ブロックの各副送信ブロックは、Ｒ１＝ｍｉｎ（Ｒ、Ｒｍａｘｒｅｐ−ｓａｍｅＳＦ）個の連続されたサブフレームを介して送信される。送信ブロックを構成する各副送信ブロックが第１番目の副送信ブロックから順次にＲ１回繰り返され、計Ｎ＊Ｒ１個のサブフレームが構成されると、Ｎ＊Ｒ１個のサブフレームをＲ／Ｒ１回繰り返す。
【０３７４】
もし、Ｒｍａｘｒｅｐ−ｓａｍｅＳＦの大きさが２のべき乗ではない場合（例えば、Ｒｍａｘｒｅｐ−ｓａｍｅＳＦ  ＝  ３又は５）、前記繰り返し方法でＲ／Ｒｍａｘｒｅｐ−ｓａｍｅＳＦ  は定数ではない値が出ることがあり、この場合、前記繰り返し方法が適用できない。これを補完するために、ＮＢ−ＩｏＴ  ＴＤＤでＩＩ−１−２の案を用いて、Ｒｍａｘｒｅｐ−ｓａｍｅＳＦの大きさが２ｎ（ｎ＝０、１、２、．．．）以外の値を有するとき、繰り返し方法は下記のように決めてもよい。
【０３７５】
ＩＩ−１−２の案を用いて、Ｒｍａｘｒｅｐ−ｓａｍｅＳＦの大きさが２ｎ（ｎ＝０、１、２、．．．）を満たしていない場合
【０３７６】
−  Ｎ個の副送信ブロックで構成された送信ブロックがＲ回繰り返される場合、送信ブロックの各副送信ブロックは、Ｒ１＝ｍｉｎ（Ｒ、Ｒｍａｘｒｅｐ−ｓａｍｅＳＦ）個の連続されたサブフレームを介して送信される。送信ブロックを構成する各副送信ブロックが第１番目の副送信ブロックから順次にＲ１回繰り返されて計Ｎ＊Ｒ１個のサブフレームが構成されると、Ｎ＊Ｒ１個のサブフレームをＲ’＝ｆｌｏｏｒ（Ｒ／Ｒ１）回繰り返す。もし、Ｒ−Ｒ’≠０である場合、残ったＮ＊（Ｒ−Ｒ’）個のサブフレームは同じ副送信ブロックがそれぞれＲ−Ｒ’回繰り返して連続されて配置される構造で送信される。
【０３７７】
図３０は、ＩＩ−１−２の案を例示的に示す。
【０３７８】
図３０では、送信ブロックが２個の副送信ブロックで構成されており、Ｒｍａｘｒｅｐ−ｓａｍｅＳＦ＝３、Ｒ−Ｒ’＝２である場合の例が示されている。
【０３７９】
ＩＩ−１−３．開始サブフレームを固定する方法
【０３８０】
本節では、同じ副送信ブロックが連続的に繰り返される場合に取ることができるシンボルレベル結合の利得を高めるために、送信ブロックの送信が開始される開始サブフレームの位置を固定する方法を提案する。このときの固定される位置は、ＵＬ送信の場合、スペシャルサブフレーム以降、最初に出現するＵＬサブフレームになることがあり、ＤＬ送信の場合、ＵＬサブフレーム以降、最初に出現するＤＬサブフレームになることがある。例えば、図３０を基準に説明するとき、ＵＬ／ＤＬの設定＃０の場合、ＵＬの開始サブフレームは、２番、７番のサブフレーム、ＤＬの開始サブフレームは、０番、５番のサブフレームになることがあり、ＵＬ／ＤＬの設定＃１の場合、ＵＬの開始サブフレームは２番、７番のサブフレーム、ＤＬの開始サブフレームは４番、９番のサブフレームになることがある。
【０３８１】
これは、同じ副送信ブロックが連続的に繰り返される場合、これらの間の時間ドメイン上での距離が互いに連接するようにし、シンボルレベル結合の利得を高めるための目的であり得る。このため、ＩＩ−１−３の案は、ＩＩ−１−２の案と（又はＩＩ−１−１の案）連携して使用されてもよい。例えば、ＩＩ−１−３の案がＩＩ−１−２の案と連携して使用される場合、繰り返し方法は下記のように決めてもよい。
【０３８２】
ＩＩ−１−２の案は、ＩＩ−１−３の案を用いた繰り返し方式
【０３８３】
Ｎ個の副送信ブロックで構成された送信ブロックがＲ回繰り返される場合、送信ブロックの各副送信ブロックは、Ｒ１＝ｍｉｎ（Ｒ、Ｒｍａｘｒｅｐ−ｓａｍｅＳＦ）個の連続されたサブフレームを介して送信される。送信ブロックを構成する各副送信ブロックが第１番目の副送信ブロックから順次にＲ１回繰り返され、計Ｎ＊Ｒ１個のサブフレームが構成されると、Ｎ＊Ｒ１個のサブフレームをＲ’＝ｆｌｏｏｒ（Ｒ／Ｒ１）回繰り返す。もし、Ｒ−Ｒ’≠０である場合、残ったＮ＊（Ｒ−Ｒ’）個のサブフレームは同じ副送信ブロックがそれぞれＲ−Ｒ’回繰り返して連続されて配置される構造で送信される。このとき、送信が開始される第１番目のサブフレームは、ＵＬ／ＤＬの設定によって決定され得る。
【０３８４】
ＩＩ−１−４．一つの無線フレームに一つの副送信ブロックが繰り返される案
【０３８５】
本節では、シンボルレベル結合の利得を高めるために、一つの無線フレームには同じ副送信ブロックのみが連続的に繰り返されるようにする案を提案する。このとき、同じ副送信ブロックが無線フレーム内で繰り返される大きさは、該当無線内の有効なサブフレームの個数と同じように決めてもよい。
【０３８６】
提案する方法は、送信ブロックが繰り返される大きさＲが特定の値Ｒｔｈｒよりも大きい場合にのみ適用され得る。これは、要求される送信ブロックの繰り返しが小さい場合、不要な繰り返しを防ぎ、早期デコーディング終了の効果を得るための目的であり得る。このとき、Ｒｔｈｒの値は、ＵＬ／ＤＬの設定に応じて異なって適用され得る。
【０３８７】
提案する案で、送信ブロックの繰り返しの値がＲと決められた場合、各副送信ブロックがマッピングされる無線フレームをＲ個又はＲの関数で決めてもよい。
【０３８８】
ＩＩ−１−５．アンカー（Ａｎｃｈｏｒ）搬送波と非アンカー（ｎｏｎ−ａｎｃｈｏｒ）搬送波の繰り返し方式を互いに異なって決める案
【０３８９】
本節では、アンカー搬送波と非アンカー搬送波の繰り返し方式を互いに異なって決める方法を提案する。ＮＢ−ＩｏＴで、アンカー搬送波はＮＰＳＳ／ＮＳＳＳ／ＮＰＢＣＨ／ＮＢ−ＳＩＢ１が送信される搬送波で定義され得る。このとき、ＮＰＳＳ／ＮＳＳＳ／ＮＰＢＣＨ／ＮＢ−ＳＩＢ１は端末がｅＮＢに接続するか、必要なシステム情報を得るための信号及びチャネルであって、各無線フレーム、又は特定の周期に合わせて送信されるように決められている。従って、アンカー搬送波は、非アンカー搬送波に比べて、利用可能なＤＬの有効なサブフレームリソースが不足することがある。従って、シンボルレベル結合の利得を得ることができる時間ドメイン上の互いに連接又は隣接した位置のＤＬの有効なサブフレームがないか、よく発生しないことがある。これを考慮し、アンカー搬送波では、早期デコーディング終了の効果を大きく得られるように繰り返し規則を適用し、非アンカー搬送波では、シンボルレベル結合の効果が得られる構造の繰り返し規則を適用する案を提案する。
【０３９０】
前記の目的のために、アンカー搬送波では送信ブロックの単位の繰り返しが適用され得る。例えば、送信ブロックがＮ個の副送信ブロックで構成された場合、連続されたＮ個のサブフレームにＮ個の互いに異なる副送信ブロックを順次に配置し、これを送信ブロック単位でＲ回繰り返すように決めてもよい。反面、非アンカー搬送波の場合は、前記ＩＩ−１−１の案、ＩＩ−１−２の案、ＩＩ−１−３の案、ＩＩ−１−４の案のいずれかが使用されてもよく、一つ以上の方法が連携して使用されてもよい。ＩＩ−１−５の案が使用される場合、アンカー搬送波での繰り返し方法は下記のように決めてもよい。
【０３９１】
ＩＩ−１−５の案を用いた繰り返し方式（アンカー搬送波の場合）
【０３９２】
Ｎ個の副送信ブロックで構成された送信ブロックがＲ回繰り返される場合、送信ブロックの各副送信ブロックは、Ｒ１＝１個の連続されたサブフレームを介して送信される。送信ブロックを構成する各副送信ブロックが第１番目の副送信ブロックから順次にＲ１回繰り返されて計Ｎ＊Ｒ１個のサブフレームが構成されると、Ｎ＊Ｒ１個のサブフレームをＲ／Ｒ１回繰り返す。
【０３９３】
図３１は、アンカー搬送波で繰り返しが適用される例を示す。
【０３９４】
前記で例示的に説明した内容において、案は一連の段階又はブロックで説明されているが、本明細書の開示は、このような段階の順序のみに限定されるものではなく、ある段階は前述したところと異なる段階と異なる順序で、又は同時に発生し得る。また、当業者であれば、フローチャートに示された段階が排他的でなく、他の段階が含まれるか、フローチャートの一つ又はそれ以上の段階が本発明の範囲に影響を与えずに削除され得るということを理解すべきである。
【０３９５】
これまで説明した、本発明の実施例は、様々な手段を通じて具現化され得る。例えば、本発明の実施例は、ハードウェア、ファームウェア（ｆｉｒｍｗａｒｅ）、ソフトウェア又はそれらの結合等によって具現化され得る。具体的には、図を参照として説明することとする。
【０３９６】
図３２は、本明細書の開示が具現化される無線機器及び基地局を示したブロック図である。
【０３９７】
図３２を参照すると、無線機器１００及び基地局２００は、本明細書の開示を具現化することができる。
【０３９８】
示された無線機器１００は、プロセッサ１０１、メモリ１０２、及びトランシーバー１０３を含む。同様に示された基地局２００は、プロセッサ２０１、メモリ２０２、及びトランシーバー２０３を含む。示されたプロセッサ１０１、２０１、メモリ１０２、２０２、及びトランシーバー１０３、２０３は、それぞれ別途のチップで具現化されてもよく、又は少なくとも二つ以上のブロック／機能が一つのチップを介して具現化されてもよい。
【０３９９】
前記トランシーバー１０３、２０３は、送信機（ｔｒａｎｓｍｉｔｔｅｒ）及び受信機（ｒｅｃｅｉｖｅｒ）を含む。特定の動作が行われる場合、送信機及び受信機の何れかの動作のみが行われてもよく、又は送信機及び受信機の動作が何れも行われてもよい。前記トランシーバー１０３、２０３は、無線信号を送信及び／又は受信する一つ以上のアンテナを含み得る。また、前記トランシーバー１０３、２０３は、受信信号及び／又は送信信号の増幅のための増幅器と特定の周波数帯域上への送信のためのバンドパスフィルタを含み得る。
【０４００】
前記プロセッサ１０１、２０１は、本明細書で提案された機能、過程及び／又は方法を具現化できる。前記プロセッサ１０１、２０１は、エンコーダとデコーダを含み得る。例えば、プロセッサ１０１、２０２は、前述した内容による動作を行い得る。このようなプロセッサ１０１、２０１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／又はベースバンド信号並びに無線信号を相互変換する変換機を含み得る。
【０４０１】
メモリ１０２、２０２は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／又は他の格納装置を含み得る。
【０４０２】
図３３は、図３２に示された無線機器のトランシーバーの詳細ブロック図である。
【０４０３】
図３３を参照すると、トランシーバー１１０は送信機１１１と受信機１１２とを含む。前記送信機１１１は、ＤＦＴ（Ｄｉｓｃｒｅｔｅ  Ｆｏｕｒｉｅｒ  Ｔｒａｎｓｆｏｒｍ）部１１１１、副搬送波マッパー１１１２、ＩＦＦＴ部１１１３、及びＣＰ挿入部１１１４４、無線送信部１１１５を含む。前記送信機１１１は、変調器（ｍｏｄｕｌａｔｏｒ）をさらに含み得る。また、例えば、スクランブルユニット（図示せず；ｓｃｒａｍｂｌｅ  ｕｎｉｔ）、モジュレーションマッパー（図示せず；ｍｏｄｕｌａｔｉｏｎ  ｍａｐｐｅｒ）、レイヤーマッパー（図示せず；ｌａｙｅｒ  ｍａｐｐｅｒ）、及びレイヤーパーミュテータ（図示せず；ｌａｙｅｒ  ｐｅｒｍｕｔａｔｏｒ）をさらに含んでもよく、これは、前記ＤＦＴ部１１１１に先だって配置されてもよい。即ち、ＰＡＰＲ（ｐｅａｋ−ｔｏ−ａｖｅｒａｇｅ  ｐｏｗｅｒ  ｒａｔｉｏ）の増加を防止するために、前記送信機１１１は、副搬送波に信号をマッピングする前に、先に情報をＤＦＴ１１１１を経るようにする。ＤＦＴ部１１１１によって拡散（ｓｐｒｅａｄｉｎｇ）（又は同じ意味でプリコーディング）された信号を副搬送波マッパー１１１２を介して副搬送波マッピングを行った後、再度ＩＦＦＴ（Ｉｎｖｅｒｓｅ  Ｆａｓｔ  Ｆｏｕｒｉｅｒ  Ｔｒａｎｓｆｏｒｍ）部１１１３を経て、時間軸上の信号にする。
【０４０４】
ＤＦＴ部１１１１は、入力されるシンボルにＤＦＴを行い、複素数のシンボル（複素数のシンボル）を出力する。例えば、Ｎｔｘシンボルが入力されると（但し、Ｎｔｘは自然数）、ＤＦＴの大きさ（ｓｉｚｅ）はＮｔｘである。ＤＦＴ部１１１１は、変換プリコーダ（ｔｒａｎｓｆｏｒｍ  ｐｒｅｃｏｄｅｒ）と呼ばれ得る。副搬送波マッパー１１１２は、前記複素数シンボルを周波数領域の各副搬送波にマッピングさせる。前記複素数シンボルは、データ送信のために割り当てられたリソースブロックに対応するリソース要素にマッピングされ得る。副搬送波マッパー１１１２は、リソースマッパー（ｒｅｓｏｕｒｃｅ  ｅｌｅｍｅｎｔ  ｍａｐｐｅｒ）と呼ばれ得る。ＩＦＦＴ部１１１３は、入力されるシンボルに対してＩＦＦＴを行い、時間領域の信号であるデータのための基本帯域（ｂａｓｅｂａｎｄ）信号を出力する。ＣＰ挿入部１１１４は、データのための基本帯域信号の後部の一部を複写し、データのための基本帯域信号の前部に挿入する。ＣＰの挿入を通じて、ＩＳＩ（Ｉｎｔｅｒ−ｓｙｍｂｏｌ  Ｉｎｔｅｒｆｅｒｅｎｃｅ）、ＩＣＩ（Ｉｎｔｅｒ−Ｃａｒｒｉｅｒ  Ｉｎｔｅｒｆｅｒｅｎｃｅ）が防止され、多重経路のチャネルでも直交性が維持され得る。
【０４０５】
他方、受信機１１２は、無線受信部１１２１、ＣＰ除去部１１２２、ＦＦＴ部１１２３、及び等化部１１２４などを含む。前記受信機１１２の無線受信部１１２１、ＣＰ除去部１１２２、ＦＦＴ部１１２３は、前記送信端１１１での無線送信部１１１５、ＣＰ挿入部１１１４、ＩＦＦ部１１１３の逆機能を行う。前記受信機１１２は、復調器（ｄｅｍｏｄｕｌａｔｏｒ）をさらに含み得る。
【図１】
0006949979.tif 000021
【図２】
0006949979.tif 000022
【図３】
0006949979.tif 000023
【図４Ａ】
0006949979.tif 000024
【図４Ｂ】
0006949979.tif 000025
【図４Ｃ】
0006949979.tif 000026
【図５Ａ】
0006949979.tif 000027
【図５Ｂ】
0006949979.tif 000028
【図６】
0006949979.tif 000029
【図７】
0006949979.tif 000030
【図８】
0006949979.tif 000031
【図９】
0006949979.tif 000032
【図１０】
0006949979.tif 000033
【図１１Ａ】
0006949979.tif 000034
【図１１Ｂ】
0006949979.tif 000035
【図１２】
0006949979.tif 000036
【図１３】
0006949979.tif 000037
【図１４Ａ】
0006949979.tif 000038
【図１４Ｂ】
0006949979.tif 000039
【図１５】
0006949979.tif 000040
【図１６Ａ】
0006949979.tif 000041
【図１６Ｂ】
0006949979.tif 000042
【図１７Ａ】
0006949979.tif 000043
【図１７Ｂ】
0006949979.tif 000044
【図１８Ａ】
0006949979.tif 000045
【図１８Ｂ】
0006949979.tif 000046
【図１９】
0006949979.tif 000047
【図２０】
0006949979.tif 000048
【図２１】
0006949979.tif 000049
【図２２】
0006949979.tif 000050
【図２３Ａ】
0006949979.tif 000051
【図２３Ｂ】
0006949979.tif 000052
【図２３Ｃ】
0006949979.tif 000053
【図２４】
0006949979.tif 000054
【図２５Ａ】
0006949979.tif 000055
【図２５Ｂ】
0006949979.tif 000056
【図２５Ｃ】
0006949979.tif 000057
【図２６】
0006949979.tif 000058
【図２７Ａ】
0006949979.tif 000059
【図２７Ｂ】
0006949979.tif 000060
【図２７Ｃ】
0006949979.tif 000061
【図２８】
0006949979.tif 000062
【図２９】
0006949979.tif 000063
【図３０】
0006949979.tif 000064
【図３１】
0006949979.tif 000065
【図３２】
0006949979.tif 000066
【図３３】
0006949979.tif 000067